(57)【要約】  本発明は、ビーム管理方法、ネットワーク機器および端末を開示する。本発明では、前記ネットワーク機器は、端末に対しいてＳＲＳリソースを設定し、前記ネットワーク機器は、前記端末に指示情報を送信し、前記指示情報は、前記ＳＲＳリソース上でＳＲＳを送信するための送信ビームを選択するように前記端末に指示する。このようにして、端末の送信ビームおよび基地局の受信ビームをより柔軟かつ効率的に管理し、端末の送信ビームスイープおよび／または基地局の受信ビームスイープを実現する。
2020523920.tif 000002
【特許請求の範囲】
【請求項１】
ネットワーク機器は、端末に対してサウンディング基準信号（ＳＲＳ）リソースを設定するステップと、
前記ネットワーク機器は、前記端末に指示情報を送信するステップと、を備え、
前記指示情報は、前記ＳＲＳリソース上でＳＲＳを送信するための送信ビームを選択するように前記端末に指示することを特徴とするネットワーク機器に適用するビーム管理方法。
【請求項２】
前記指示情報は、ゼロ状態を示す情報を含み、前記ゼロ状態は、前記端末が前記ＳＲＳリソース上でＳＲを送信するための送信ビームを決定することを示すことを特徴とする請求項１に記載のネットワーク機器に適用するビーム管理方法。
【請求項３】
前記指示情報は、ネットワーク機器によって示された送信ビームに従って前記ＳＲＳリソース上でＳＲＳを送信することを前記端末に指示するための情報を含むことを特徴とする請求項１に記載のネットワーク機器に適用するビーム管理方法。
【請求項４】
ネットワーク機器によって示された送信ビームに従って前記ＳＲＳリソース上でＳＲＳを送信することを前記端末に指示するための情報は、前記ネットワーク機器によって示された送信ビームに対応する送信ビームグループ内の送信ビームを使用して前記ＳＲＳリソース上でＳＲＳを送信することを前記端末に指示するための情報を、含むことを特徴とする請求項３に記載のネットワーク機器に適用するビーム管理方法。
【請求項５】
ネットワーク機器によって示された送信ビームに従って前記ＳＲＳリソース上でＳＲＳを送信することを前記端末に指示するための情報は、前記ネットワーク機器によって示された送信ビームを使用して前記ＳＲＳリソース上でＳＲＳを送信することを前記端末に指示するための情報を含むことを特徴とする請求項３に記載のネットワーク機器に適用するビーム管理方法。
【請求項６】
前記指示情報は、前記ネットワーク機器によって示された送信ビームの識別情報をさらに含むことを特徴とする請求項４または請求項５に記載のネットワーク機器に適用するビーム管理方法。
【請求項７】
前記指示情報は、１つのコード状態としてエンコードされることを特徴とする請求項６に記載のネットワーク機器に適用するビーム管理方法。
【請求項８】
前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含むことを特徴とする請求項１に記載のネットワーク機器に適用するビーム管理方法。
【請求項９】
前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含むことを特徴とする請求項１に記載のネットワーク機器に適用するビーム管理方法。
【請求項１０】
前記ＳＲＳリソース上で前記端末によって送信されたＳＲＳに対し、前記ネットワーク機器は、同じ受信ビームを使用して前記ＳＲＳリソース上で前記ＳＲＳを受信することを特徴とする請求項２、請求項４または請求項８に記載のネットワーク機器に適用するビーム管理方法。
【請求項１１】
前記ＳＲＳリソース上で前記端末によって送信されたＳＲＳに対し、前記ネットワーク機器は、異なる受信ビームを使用して前記ＳＲＳリソース上で前記ＳＲＳを受信することを特徴とする請求項５または請求項９に記載のネットワーク機器に適用するビーム管理方法。
【請求項１２】
前記指示情報は、前記ネットワーク機器によって前記端末に対して設定されたＳＲＳリソースをグルーピングすることをさらに示すことを特徴とする請求項２に記載のネットワーク機器に適用するビーム管理方法。
【請求項１３】
前記ネットワーク機器は、同じ受信ビームを使用して同じグループのＳＲＳリソースでＳＲＳを受信し、異なる受信ビームを使用して異なるグループのＳＲＳリソースでＳＲＳを受信することを特徴とする請求項１２に記載のネットワーク機器に適用するビーム管理方法。
【請求項１４】
前記送信ビームの識別情報は、前記ネットワーク機器によって前記端末に対して設定されたＳＲＳリソースのＳＲＳリソース指示情報（ＳＲＩ）であることを特徴とする請求項６から請求項９のいずれか一項に記載のネットワーク機器に適用するビーム管理方法。
【請求項１５】
端末は、ネットワーク機器によって送信された指示情報を受信するステップと、
前記端末は、前記ネットワークによって送信された指示情報に従って、ＳＲＳリソース上で使用される送信ビームを決定し、前記送信ビームを使用して前記ＳＲＳリソース上でＳＲＳを送信するステップと、を備え、
前記指示情報は、前記端末が、前記ネットワーク機器によって前記端末に対して設定されたサウンディング基準信号（ＳＲＳ）リソース上でＳＲＳ信号を送信するための送信ビームを選択することを示すことを特徴とする端末に適用するビーム管理方法。
【請求項１６】
前記指示情報は、ゼロ状態を示す情報を含み、前記ゼロ状態は、前記端末が前記ＳＲＳリソース上でＳＲを送信するための送信ビームを決定することを示すことを特徴とする請求項１５に記載の端末に適用するビーム管理方法。
【請求項１７】
前記送信ビームを使用して前記ＳＲＳリソース上でＳＲＳを送信する場合、
前記端末は、前記ＳＲＳリソース中の異なるＳＲＳリソース上で異なる送信ビームを使用してＳＲＳを送信することを特徴とする請求項１６に記載の端末に適用するビーム管理方法。
【請求項１８】
前記指示情報は、ネットワーク機器によって示された送信ビームに従って前記ＳＲＳリソース上でＳＲＳを送信することを前記端末に指示するための情報を含むことを特徴とする請求項１６に記載の端末に適用するビーム管理方法。
【請求項１９】
ネットワーク機器によって示された送信ビームに従って前記ＳＲＳリソース上でＳＲＳを送信することを前記端末に指示するための情報は、前記ネットワーク機器によって示された送信ビームに対応する送信ビームグループ内の送信ビームを使用して前記ＳＲＳリソース上でＳＲＳを送信することを前記端末に指示するための情報を含むことを特徴とする請求項１６に記載の端末に適用するビーム管理方法。
【請求項２０】
ネットワーク機器によって示された送信ビームに従って前記ＳＲＳリソース上でＳＲＳを送信することを前記端末に指示するための情報は、前記ネットワーク機器によって示された送信ビームを使用して前記ＳＲＳリソース上でＳＲＳを送信することを前記端末に指示するための情報を含むことを特徴とする請求項１８に記載の端末に適用するビーム管理方法。
【請求項２１】
前記指示情報は、前記ネットワーク機器によって示された送信ビームの識別情報をさらに含むことを特徴とする請求項１９または請求項２０に記載の端末に適用するビーム管理方法。
【請求項２２】
前記指示情報は、１つのコード状態としてエンコードされたことを特徴とする請求項２１に記載の端末に適用するビーム管理方法。
【請求項２３】
前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含むことを特徴とする請求項１５に記載の端末に適用するビーム管理方法。
【請求項２４】
前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含むことを特徴とする請求項１５に記載の端末に適用するビーム管理方法。
【請求項２５】
前記端末は、前記ＳＲＳリソース上で前記ネットワーク機器によって示された送信ビームに対応する送信ビームグループ内の送信ビームを使用してＳＲＳを送信することを特徴とする請求項１９、請求項２１または請求項２３に記載の端末に適用するビーム管理方法。
【請求項２６】
前記指示情報は、前記ネットワーク機器によって前記端末に対して設定されたＳＲＳリソースをグルーピングすることをさらに示すことを特徴とする請求項１６に記載の端末に適用するビーム管理方法。
【請求項２７】
前記端末は、同じグループ内の異なるＳＲＳリソース上で異なる送信ビームを使用してＳＲＳを送信することを特徴とする請求項２６に記載の端末に適用するビーム管理方法。
【請求項２８】
ネットワーク機器は、
端末に対してサウンディング基準信号（ＳＲＳ）リソースを設定するための設定モジュールと、
前記端末に指示情報を送信するための送信モジュールと、を備え、
前記指示情報は、前記ＳＲＳリソース上でＳＲＳを送信するための送信ビームを選択するように前記端末に指示するものであることを特徴とするビーム管理ネットワーク機器。
【請求項２９】
前記指示情報は、ゼロ状態を示す情報を含み、前記ゼロ状態は、前記端末が前記ＳＲＳリソース上でＳＲを送信するための送信ビームを決定することを示すことを特徴とする請求項２８に記載のビーム管理ネットワーク機器。
【請求項３０】
前記指示情報は、ネットワーク機器によって示された送信ビームに従って前記ＳＲＳリソース上でＳＲＳを送信することを前記端末に指示するための情報を含むことを特徴とする請求項２８に記載のビーム管理ネットワーク機器。
【請求項３１】
ネットワーク機器によって示された送信ビームに従って前記ＳＲＳリソース上でＳＲＳを送信することを前記端末に指示するための情報は、前記ネットワーク機器によって示された送信ビームに対応する送信ビームグループ内の送信ビームを使用して前記ＳＲＳリソース上でＳＲＳを送信することを前記端末に指示するための情報を含むことを特徴とする請求項３０に記載のビーム管理ネットワーク機器。
【請求項３２】
ネットワーク機器によって示された送信ビームに従って前記ＳＲＳリソース上でＳＲＳを送信することを前記端末に指示するための情報は、前記ネットワーク機器によって示された送信ビームを使用して前記ＳＲＳリソース上でＳＲＳを送信することを前記端末に指示するための情報を含むことを特徴とする請求項３０に記載のビーム管理ネットワーク機器。
【請求項３３】
前記指示情報は、前記ネットワーク機器によって示された送信ビームの識別情報をさらに含むことを特徴とする請求項３１または請求項３２に記載のビーム管理ネットワーク機器。
【請求項３４】
前記指示情報は、１つのコード状態としてエンコードされたことを特徴とする請求項３３に記載のビーム管理ネットワーク機器。
【請求項３５】
前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含むことを特徴とする請求項２８に記載のビーム管理ネットワーク機器。
【請求項３６】
前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含むことを特徴とする請求項２８に記載のビーム管理ネットワーク機器。
【請求項３７】
前記指示情報は、前記ネットワーク機器によって前記端末に対して設定されたＳＲＳリソースをグルーピングすることをさらに示すことを特徴とする請求項２９に記載のビーム管理ネットワーク機器。
【請求項３８】
ネットワーク機器によって送信された指示情報を受信するための受信モジュールと、
前記ネットワークによって送信された指示情報に従って、ＳＲＳリソース上で使用される送信ビームを決定し、前記送信ビームを使用して前記ＳＲＳリソース上でＳＲＳを送信するための送信モジュールと、を備え、
前記指示情報は、端末が、前記ネットワーク機器によって前記端末に対して設定されたサウンディング基準信号（ＳＲＳ）リソース上でＳＲＳ信号を送信するための送信ビームを選択することを示すものであることを特徴とする端末。
【請求項３９】
前記指示情報は、ゼロ状態を示す情報を含み、前記ゼロ状態は、前記端末が前記ＳＲＳリソース上でＳＲを送信するための送信ビームを決定することを示すことを特徴とする請求項３８に記載の端末。
【請求項４０】
前記指示情報は、ネットワーク機器によって示された送信ビームに従って前記ＳＲＳリソース上でＳＲＳを送信することを前記端末に指示するための情報を含むことを特徴とする請求項３８に記載の端末。
【請求項４１】
ネットワーク機器によって示された送信ビームに従って前記ＳＲＳリソース上でＳＲＳを送信することを前記端末に指示するための情報は、前記ネットワーク機器によって示された送信ビームに対応する送信ビームグループ内の送信ビームを使用して前記ＳＲＳリソース上でＳＲＳを送信することを前記端末に指示するための情報を含むことを特徴とする請求項４０に記載の端末。
【請求項４２】
ネットワーク機器によって示された送信ビームに従って前記ＳＲＳリソース上でＳＲＳを送信することを前記端末に指示するための情報は、前記ネットワーク機器によって示された送信ビームを使用して前記ＳＲＳリソース上でＳＲＳを送信することを前記端末に指示するための情報を含むことを特徴とする請求項４０に記載の端末。
【請求項４３】
前記指示情報は、前記ネットワーク機器によって示された送信ビームの識別情報をさらに含むことを特徴とする請求項４１または請求項４２に記載の端末。
【請求項４４】
前記指示情報は、１つのコード状態としてエンコードされたことを特徴とする請求項４３に記載の端末。
【請求項４５】
前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含むことを特徴とする請求項３８に記載の端末。
【請求項４６】
前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含むことを特徴とする請求項３８に記載の端末。
【請求項４７】
前記指示情報は、前記ネットワーク機器によって前記端末に対して設定されたＳＲＳリソースをグルーピングすることをさらに示すことを特徴とする請求項３９に記載の端末。
【請求項４８】
プロセッサと、メモリとを備え、
前記プロセッサは、前記メモリに格納されたコンピュータプログラムを実行して以下を行うように構成される：
端末に対してサウンディング基準信号（ＳＲＳ）リソースを設定し、
前記端末に指示情報を送信し、前記指示情報は、前記ＳＲＳリソース上でＳＲＳを送信するための送信ビームを選択するように前記端末に指示することを特徴とするコンピュータ装置。
【請求項４９】
プロセッサと、メモリとを備え、
前記プロセッサは、前記メモリに格納されたコンピュータプログラムを実行して以下を行うように構成される：
ネットワーク機器によって送信された指示情報を受信し、前記指示情報は、端末が、前記ネットワーク機器によって前記端末に対して設定されたサウンディング基準信号（ＳＲＳ）リソース上でＳＲＳ信号を送信するための送信ビームを選択することを示し、
前記ネットワークによって送信された指示情報に従って、前記ＳＲＳリソース上で使用される送信ビームを決定し、前記送信ビームを使用して前記ＳＲＳリソース上でＳＲＳを送信することを特徴とするコンピュータ装置。
【請求項５０】
プロセッサによって実行されると、請求項１から請求項２７のいずれか一項に記載の方法を実行するように構成されたコンピュータプログラムを記憶することを特徴とするコンピュータ可読記憶媒体。
【発明の詳細な説明】
【技術分野】
【０００１】
関連出願の相互参照
本出願は、２０１７年６月１６日に中国特許局に提出し、出願番号が２０１７１０４５９３４６.１であり、発明名称が「ビーム管理方法、ネットワーク機器および端末」との中国特許出願を基礎とする優先権を主張し、その開示の総てをここに取り込む。
【０００２】
本発明は、無線通信技術分野に関し、特にＭＩＭＯ（Ｍｕｌｔｉ−Ｉｎｐｕｔ Ｍｕｌｔｉ−Ｏｕｔｐｕｔ）チャネルのビーム管理方法、ネットワーク機器および端末に関する。
【背景技術】
【０００３】
ピークレートの改善、およびシステムスペクトルの利用率の改善に対するＭＩＭＯ（Ｍｕｌｔｉｐｌｅ−Ｉｎｐｕｔ Ｍｕｌｔｉｐｌｅ−Ｏｕｔｐｕｔ）技術の重要性を考慮して、ロングタームエボリューション（Ｌｏｎｇ Ｔｅｒｍ Ｅｖｏｌｕｔｉｏｎ，ＬＴＥ）および高度なＬＴＥ（ＬＴＥ−Ａ）などの無線アクセス技術標準は、ＭＩＭＯ技術と直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ， ）技術に基づいて構築されている。ＭＩＭＯ技術のパフォーマンス向上は、マルチアンテナシステムで利用できるスペースの自由度に起因するため、標準化されているＭＩＭＯ技術の最も重要な進化の側面は、拡張された次元である。
【０００４】
ＬＴＥ Ｒｅｌ−８では、最大で４つのＭＩＭＯ伝送の層をサポートすることができる。ＬＴＥ Ｒｅｌ−９は、強化されたマルチユーザーＭＩＭＯ（Ｍｕｌｔｉ−Ｕｓｅｒ ＭＩＭＯ，ＭＵ−ＭＩＭＯ）技術に重点を置いており、伝送モード（Ｔｒａｎｓｍｉｓｓｉｏｎ Ｍｏｄｅ，ＴＭ）-８のＭU-ＭＩＭＯ伝送で最大４つのダウンリンクデータレイヤーをサポートできるＬＴＥ Ｒｅｌ-１０では、８つのアンテナポートのサポートが導入され、チャネル状態態情報の空間分解能がさらに向上し、シングルユーザーＭＩＭＯ（Ｓｉｎｇｌｅ−Ｕｓｅｒ ＭＩＭＯ，ＳU-ＭＩＭＯ）の伝送容量が最大８つのデータレイヤーにさらに拡張された。ＬＴＥ Ｒｅｌ−１３およびＲｅｌ−１４には、３２のポートをサポートするフルディメンションＭIＭI（ＦＤ-ＭＩＭＯ）技術が導入されており、これによりフルディメンションと垂直ビームフォーミングを実現する。
【０００５】
ＭＩＭＯテクノロジーをさらに改善するために、アンテナの大規模アレイ技術が移動通信システムに導入されている。基地局の場合、全デジタルの大規模アンテナアレイには、１２８、２５６、または５１２個のアンテナ素子と、各アンテナ素子が送受信機の１つに接続されている１２８、２５６、または５１２個の送受信機を含めることができる。端末がチャネル状態情報を測定してフィードバックするように、１２８、２５６、または５１２アンテナポートのパイロット信号が送信される。端末は、３２個または６４個のアンテナ素子を含むアンテナのアレイで構成することもできる。基地局側と端末側の両方でのビームフォーミングにより、ビームフォーミングに起因する信号減衰を補償するために、大きなビームフォーミングゲインが獲得できる。特に高周波数帯域、たとえば周波数３０ ＧＨｚでの通信中の経路損失のため、無線信号のカバレッジエリアは非常に限られている。無線信号のカバレッジエリアは、アンテナの大規模なアレイ技術を使用して使用可能なエリアに拡張できる。
【０００６】
新しい無線（ＮＲ，Ｎｅｗ Ｒａｄｉｏ）システムでは、基地局および端末のビームフォーミング利得を達成するために、端末がアップリンクで送信するときに端末の送信ビームのビームフォーミングを考慮すべきである。アップリンクビームを管理するために、基地局は端末に１つ以上のサウンディング基準信号（Ｓｏｕｎｄｉｎｇ Ｒｅｆｅｒｅｎｃｅ Ｓｉｇｎａｌ，ＳＲＳ）リソースを設定できる。端末は、各ＳＲＳリソースで１つ以上の送信ビーム（Ｔｘ ｂｅａｍ）を使用してＳＲＳ信号を送信する。
【発明の概要】
【発明が解決しようとする課題】
【０００７】
基地局および端末のビームフォーミング利得を最適化するために、端末の送信ビームおよび基地局の受信ビームは、アップリンク送信のために管理され、それにより送信ビームおよび端末を最適化する必要がある。ビームを受信する。既存のプロトコルおよび通信システムでは、ネットワーク側から端末に送信されるビーム管理指示情報はない。ネットワーク側が送信ビーム指示情報を端末に送信できれば、端末の送信ビームと基地局の受信ビームは、より柔軟かつ効率的にスイープできる。
【０００８】
本発明の実施例は、ビーム管理方法、ネットワーク機器および端末を提供し、端末の送信ビームおよび基地局の受信ビームをより柔軟かつ効率的に管理し、端末の送信ビームスイープおよび／または基地局の受信ビームスイープを実現する。
【課題を解決するための手段】
【０００９】
第１の態様によれば、本発明の一の実施例に係るネットワーク機器に適用するビーム管理方法は、
前記ネットワーク機器は、端末に対しいてＳＲＳリソースを設定するステップと、前記ネットワーク機器は、前記端末に指示情報を送信するステップとを備え、前記指示情報は、前記ＳＲＳリソース上でＳＲＳを送信するための送信ビームを選択するように前記端末に指示する。
【００１０】
任意選択で、前記指示情報は、ゼロ状態を示す情報を含み、前記ゼロ状態は、前記端末が前記ＳＲＳリソース上でＳＲを送信するための送信ビームを決定することを示す。
【００１１】
任意選択で、前記指示情報は、ネットワーク機器によって示された送信ビームに従って前記ＳＲＳリソース上でＳＲＳを送信することを前記端末に指示するための情報を含む。
【００１２】
任意選択で、前記指示情報は、前記ネットワーク機器によって示された送信ビームに対応する送信ビームグループ内の送信ビームを使用して前記ＳＲＳリソース上でＳＲＳを送信することを前記端末に指示するための情報を含む。
【００１３】
任意選択で、前記指示情報は、前記ネットワーク機器によって示された送信ビームを使用して前記ＳＲＳリソース上でＳＲＳを送信することを前記端末に指示するための情報を含む。
【００１４】
任意選択で、前記指示情報は、前記ネットワーク機器によって示された送信ビームの識別情報をさらに含む。
【００１５】
任意選択で、前記指示情報は、１つのコード状態としてエンコードされた。
【００１６】
任意選択で、前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含む。
【００１７】
任意選択で、前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含む。
【００１８】
任意選択で、前記ＳＲＳリソース上で前記端末によって送信されたＳＲＳに対し、前記ネットワーク機器は、同じ受信ビームを使用して前記ＳＲＳリソース上で前記ＳＲＳを受信する。
【００１９】
任意選択で、前記ＳＲＳリソース上で前記端末によって送信されたＳＲＳに対し、前記ネットワーク機器は、異なる受信ビームを使用して前記ＳＲＳリソース上で前記ＳＲＳを受信する。
【００２０】
任意選択で、前記指示情報は、前記ネットワーク機器によって前記端末に対して設定されたＳＲＳリソースをグルーピングすることをさらに示す。
【００２１】
任意選択で、ネットワーク機器は、同じ受信ビームを使用して同じグループのＳＲＳリソースでＳＲＳを受信し、異なる受信ビームを使用して異なるグループのＳＲＳリソースでＳＲＳを受信する。
【００２２】
任意選択で、前記送信ビームの識別情報は、前記ネットワーク機器によって前記端末に対して設定されたＳＲＳリソースのＳＲＳリソース指示情報（ＳＲＩ）である。
【００２３】
第２の態様によれば、本発明の一の実施例に係る端末に適用するビーム管理方法は、前記端末は、ネットワーク機器によって送信された指示情報を受信するステップと、端末は、前記ネットワークによって送信された指示情報に従って、前記ＳＲＳリソース上で使用される送信ビームを決定し、前記送信ビームを使用して前記ＳＲＳリソース上でＳＲＳを送信するステップとを備え、前記指示情報は前記ネットワーク機器によって前記端末に対して設定されたＳＲＳリソース上でＳＲＳ信号を送信するための送信ビームを選択することを、前記端末に指示する。
【００２４】
任意選択で、前記指示情報は、ゼロ状態を示す情報を含み、前記ゼロ状態は、前記端末が前記ＳＲＳリソース上でＳＲを送信するための送信ビームを決定することを示す。
【００２５】
任意選択で、前記送信ビームを使用して前記ＳＲＳリソース上でＳＲＳを送信する場合、前記端末は、前記ＳＲＳリソース中の異なるＳＲＳリソース上で異なる送信ビームを使用してＳＲＳを送信する。
【００２６】
任意選択で、前記指示情報は、ネットワーク機器によって示された送信ビームに従って前記ＳＲＳリソース上でＳＲＳを送信することを前記端末に指示するための情報を含む。
【００２７】
任意選択で、前記指示情報は、前記ネットワーク機器によって示された送信ビームに対応する送信ビームグループ内の送信ビームを使用して前記ＳＲＳリソース上でＳＲＳを送信することを前記端末に指示するための情報を含む。
【００２８】
任意選択で、前記指示情報は、前記ネットワーク機器によって示された送信ビームを使用して前記ＳＲＳリソース上でＳＲＳを送信することを前記端末に指示するための情報を含む。
【００２９】
任意選択で、前記指示情報は、前記ネットワーク機器によって示された送信ビームの識別情報をさらに含む。
【００３０】
任意選択で、前記指示情報は、１つのコード状態としてエンコードされた。
【００３１】
任意選択で、前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含む。
【００３２】
任意選択で、前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含む。
【００３３】
任意選択で、前記端末は、前記ＳＲＳリソース上で前記ネットワーク機器によって示された送信ビームに対応する送信ビームグループ内の送信ビームを使用してＳＲＳを送信する。
【００３４】
任意選択で、前記指示情報は、前記ネットワーク機器によって前記端末に対して設定されたＳＲＳリソースをグルーピングすることをさらに示す。
【００３５】
任意選択で、前記端末は、前記同じグループ内の異なるＳＲＳリソース上で異なる送信ビームを使用してＳＲＳを送信する。
【００３６】
第３の態様によれば、本発明の一の実施例に係るビーム管理ネットワーク機器は、端末に対しいてＳＲＳリソースを設定するための設定モジュールと、前記端末に指示情報を送信するための送信モジュールとを備え、前記指示情報は、前記ＳＲＳリソース上でＳＲＳを送信するための送信ビームを選択するように前記端末に指示するものである。
【００３７】
任意選択で、前記指示情報は、ゼロ状態を示す情報を含み、前記ゼロ状態は、前記端末が前記ＳＲＳリソース上でＳＲを送信するための送信ビームを決定することを示す。
【００３８】
任意選択で、前記指示情報は、ネットワーク機器によって示された送信ビームに従って前記ＳＲＳリソース上でＳＲＳを送信することを前記端末に指示するための情報を含む。
【００３９】
任意選択で、前記指示情報は、前記ネットワーク機器によって示された送信ビームに対応する送信ビームグループ内の送信ビームを使用して前記ＳＲＳリソース上でＳＲＳを送信することを前記端末に指示するための情報を含む。
【００４０】
任意選択で、前記指示情報は、前記ネットワーク機器によって示された送信ビームを使用して前記ＳＲＳリソース上でＳＲＳを送信することを前記端末に指示するための情報を含む。
【００４１】
任意選択で、前記指示情報は、前記ネットワーク機器によって示された送信ビームの識別情報をさらに含む。
【００４２】
任意選択で、前記指示情報は、１つのコード状態としてエンコードされた。
【００４３】
任意選択で、前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含む。
【００４４】
任意選択で、前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含む。
【００４５】
任意選択で、前記指示情報は、前記ネットワーク機器によって前記端末に対して設定されたＳＲＳリソースをグルーピングすることをさらに示す。
【００４６】
第４の態様によれば、本発明の一の実施例に係る端末において、ネットワーク機器は前記端末に対してＳＲＳリソースを設定し、前記端末は、前記ネットワーク機器によって送信された指示情報を受信するための受信モジュールと、前記ネットワークによって送信された指示情報に従って、前記ＳＲＳリソース上で使用される送信ビームを決定し、前記送信ビームを使用して前記ＳＲＳリソース上でＳＲＳを送信するための送信モジュールとを備え、前記指示情報は、前記端末が前記ＳＲＳリソース上でＳＲＳ信号を送信するための送信ビームを選択することを示す。
【００４７】
任意選択で、前記指示情報は、ゼロ状態を示す情報を含み、前記ゼロ状態は、前記端末が前記ＳＲＳリソース上でＳＲを送信するための送信ビームを決定することを示す。
【００４８】
任意選択で、前記指示情報は、ネットワーク機器によって示された送信ビームに従って前記ＳＲＳリソース上でＳＲＳを送信することを前記端末に指示するための情報を含む。
【００４９】
任意選択で、前記指示情報は、前記ネットワーク機器によって示された送信ビームに対応する送信ビームグループ内の送信ビームを使用して前記ＳＲＳリソース上でＳＲＳを送信することを前記端末に指示するための情報を含む。
【００５０】
任意選択で、前記指示情報は、前記ネットワーク機器によって示された送信ビームを使用して前記ＳＲＳリソース上でＳＲＳを送信することを前記端末に指示するための情報を含む。
【００５１】
任意選択で、前記指示情報は、前記ネットワーク機器によって示された送信ビームの識別情報をさらに含む。
【００５２】
任意選択で、前記指示情報は、１つのコード状態としてエンコードされた。
【００５３】
任意選択で、前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含む。
【００５４】
任意選択で、前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含む。
【００５５】
任意選択で、前記指示情報は、前記ネットワーク機器によって前記端末に対して設定されたＳＲＳリソースをグルーピングすることをさらに示す。
【００５６】
第５の態様によれば、本発明の一の実施例に係るコンピュータ装置において、前記装置は、プロセッサと、メモリとを備え、前記プロセッサは、前記メモリに格納されたコンピュータプログラムを実行して以下を行うように構成される：
端末に対してサウンディング基準信号（ＳＲＳ）リソースを設定し、
前記端末に指示情報を送信し、前記指示情報は、前記ＳＲＳリソース上でＳＲＳを送信するための送信ビームを選択するように前記端末に指示する。
【００５７】
任意選択で、前記指示情報は、ゼロ状態を示す情報を含み、前記ゼロ状態は、前記端末が前記ＳＲＳリソース上でＳＲを送信するための送信ビームを決定することを示す。
【００５８】
任意選択で、前記指示情報は、ネットワーク機器によって示された送信ビームに従って前記ＳＲＳリソース上でＳＲＳを送信することを前記端末に指示するための情報を含む。
【００５９】
任意選択で、ネットワーク機器によって示された送信ビームに従って前記ＳＲＳリソース上でＳＲＳを送信することを前記端末に指示するための情報は、前記ネットワーク機器によって示された送信ビームに対応する送信ビームグループ内の送信ビームを使用して前記ＳＲＳリソース上でＳＲＳを送信することを前記端末に指示するための情報を、含む。
【００６０】
任意選択で、ネットワーク機器によって示された送信ビームに従って前記ＳＲＳリソース上でＳＲＳを送信することを前記端末に指示するための情報は、前記ネットワーク機器によって示された送信ビームを使用して前記ＳＲＳリソース上でＳＲＳを送信することを前記端末に指示するための情報を含む。
【００６１】
任意選択で、前記指示情報は、前記ネットワーク機器によって示された送信ビームの識別情報をさらに含む。
【００６２】
任意選択で、前記指示情報は、１つのコード状態としてエンコードされた。
【００６３】
任意選択で、前記メモリには前記端末と合意した以下の情報が格納される：前記端末が前記ネットワーク機器によって示された送信ビームに対応する送信ビームグループ内の送信ビームを使用して前記ＳＲＳリソース上でＳＲＳを送信し、前記指示情報は、前記ＳＲＳリソース上でＳＲＳを送信することを示す送信ビームの識別情報をさらに含む。
【００６４】
任意選択で、前記メモリには前記端末と合意した以下の情報が格納される：前記端末は、前記ネットワーク機器によって示された送信ビームを使用して前記ＳＲＳリソース上でＳＲＳを送信するための情報，前記指示情報は、前記ＳＲＳリソース上でＳＲＳを送信することを示す送信ビームの識別情報をさらに含む。
【００６５】
任意選択で、前記プロセッサは、さらに、前記ＳＲＳリソース上で前記端末によって送信されたＳＲＳに対し、同じ受信ビームを使用して前記ＳＲＳリソース上で前記ＳＲＳを受信する。
【００６６】
任意選択で、前記プロセッサは、さらに、前記ＳＲＳリソース上で前記端末によって送信されたＳＲＳに対し、異なる受信ビームを使用して前記ＳＲＳリソース上で前記ＳＲＳを受信する。
【００６７】
任意選択で、前記指示情報は、前記ネットワーク機器によって前記端末に対して設定されたＳＲＳリソースをグルーピングすることをさらに示す。
【００６８】
任意選択で、前記プロセッサは、さらに、同じグループのＳＲＳリソースじょうで同じ受信ビームを使用して前記ＳＲＳを受信する，異なる受信ビームを使用して異なるグループのＳＲＳリソースでＳＲＳを受信する。
【００６９】
任意選択で、前記送信ビームの識別情報は、前記ネットワーク機器によって前記端末に対して設定されたＳＲＳリソースのＳＲＳリソース指示情報（ＳＲＩ）である。
【００７０】
第６の態様によれば、本発明の一の実施例に係るコンピュータ装置であって、前記装置は、プロセッサと、メモリとを備え、前記装置は、プロセッサと、メモリとを備え、前記プロセッサは、前記メモリに格納されたコンピュータプログラムを実行して以下を行うように構成される：
ネットワーク機器によって送信された指示情報を受信し、前記指示情報は、前記端末が、前記ネットワーク機器によって前記端末に対して設定されたサウンディング基準信号（ＳＲＳ）リソース上でＳＲＳ信号を送信するための送信ビームを選択することを示し、
前記ネットワークによって送信された指示情報に従って、前記ＳＲＳリソース上で使用される送信ビームを決定し、前記送信ビームを使用して前記ＳＲＳリソース上でＳＲＳを送信する。
【００７１】
任意選択で、前記指示情報は、ゼロ状態を示す情報を含み、前記ゼロ状態は、前記端末が前記ＳＲＳリソース上でＳＲを送信するための送信ビームを決定することを示す。
【００７２】
任意選択で、前記プロセッサは、前記ＳＲＳリソース中の異なるＳＲＳリソース上で異なる送信ビームを使用してＳＲＳを送信する。
【００７３】
任意選択で、前記指示情報は、ネットワーク機器によって示された送信ビームに従って前記ＳＲＳリソース上でＳＲＳを送信することを前記端末に指示するための情報を含む。
【００７４】
任意選択で、ネットワーク機器によって示された送信ビームに従って前記ＳＲＳリソース上でＳＲＳを送信することを前記端末に指示するための情報は、前記ネットワーク機器によって示された送信ビームに対応する送信ビームグループ内の送信ビームを使用して前記ＳＲＳリソース上でＳＲＳを送信することを前記端末に指示するための情報を、含む。
【００７５】
任意選択で、ネットワーク機器によって示された送信ビームに従って前記ＳＲＳリソース上でＳＲＳを送信することを前記端末に指示するための情報は、前記ネットワーク機器によって示された送信ビームを使用して前記ＳＲＳリソース上でＳＲＳを送信することを前記端末に指示するための情報を含む。
【００７６】
任意選択で、前記指示情報は、前記ネットワーク機器によって示された送信ビームの識別情報をさらに含む。
【００７７】
任意選択で、前記指示情報は、１つのコード状態としてエンコードされた。
【００７８】
任意選択で、前記メモリには前記ネットワーク機器と合意した以下の情報が格納される：前記端末が前記ネットワーク機器によって示された送信ビームに対応する送信ビームグループ内の送信ビームを使用して前記ＳＲＳリソース上でＳＲＳを送信し、前記指示情報は、前記ＳＲＳリソース上でＳＲＳを送信することを示す送信ビームの識別情報をさらに含む。
【００７９】
任意選択で、前記メモリには前記ネットワーク機器と合意した以下の情報が格納される：前記端末は、前記ネットワーク機器によって示された送信ビームを使用して前記ＳＲＳリソース上でＳＲＳを送信するための情報，前記指示情報は、前記ＳＲＳリソース上でＳＲＳを送信することを示す送信ビームの識別情報をさらに含む。
【００８０】
任意選択で、前記プロセッサは、具体的に前記ＳＲＳリソース上で前記ネットワーク機器によって示された送信ビームを使用して対応する送信ビームグループ内の送信ビームＳＲＳを送信する。
【００８１】
任意選択で、前記指示情報は、前記ネットワーク機器によって前記端末に対して設定されたＳＲＳリソースをグルーピングすることをさらに示す。
【００８２】
任意選択で、前記プロセッサは、具体的に前記同じグループ内の異なるＳＲＳリソース上で異なる送信ビームを使用してＳＲＳを送信する。
【００８３】
第７の態様によれば、本発明の一の実施例は、プロセッサによって実行されると、第１の態様または第２の態様による実施例の上記方法のステップを実行するように構成されたコンピュータプログラムを記憶することを特徴とするコンピュータ可読記憶媒体を、提供する。
【発明の効果】
【００８４】
本発明の実施例に係る１つ以上の技術的解決策は、少なくとも以下の技術的効果または利点を有する。
【００８５】
基地局が使用される送信ビームの指示情報をＳＲＳリソース上で端末に送信することは、ネットワークが、端末の送信ビームおよび基地局の受信ビームに対するスイープを制御することに役を立つ。
【図面の簡単な説明】
【００８６】
【図１】本発明の実施例に係るビーム管理方法の第１のフローチャートである。
【図２】本発明の実施例に係るビーム管理方法の第２のフローチャートである。
【図３】本発明の実施例ネットワーク機器の概略構造図である。
【図４】本発明の実施例に係る端末の概略構造図である。
【発明を実施するための形態】
【００８７】
端末の送信ビームスイープおよび基地局の受信ビームスイープをより効率的に実施するために、本発明の実施形態による技術的解決策の一般的な考え方は次のとおりである。ビーム管理方法、ネットワーク機器および端末において、前記ネットワーク機器は、端末に対しいてＳＲＳリソースを設定し、前記ネットワーク機器は、前記端末に指示情報を送信し、前記指示情報は、前記ＳＲＳリソース上でＳＲＳを送信するための送信ビームを選択するように前記端末に指示する。
【００８８】
上記の技術的解決策をよりよく理解するために、上記の技術的解決策を、図面を参照して、およびその特定の実施形態に関連して、以下で詳細に説明する。
【００８９】
本発明の実施形態では、送信装置（すなわち、ネットワーク機器）および受信装置（すなわち、端末）があり、ダウンリンク送信およびアップリンク受信は、送信装置と送信装置にアクセスする受信装置の間で行われ得る。
【００９０】
特に、送信装置は、基地局または別のタイプの送信ポイント装置であり得、受信装置は、端末（またはユーザー機器）であり得る。もちろん、それらはそれに限定されないが、例えば、送信装置は、代替的に、別の端末を構成できる端末であり得る。あるいは、送信装置は、複数のネットワークノードを含むことができる。ネットワークノードには、無線周波数コンポーネント（リモート無線ユニット（Ｒｅｍｏｔｅ Ｒａｄｉｏ Ｕｎｉｔ，ＲＲＵ）など）のみ、またはベースバンドコンポーネントと無線周波数コンポーネント（アクティブアンテナなど）の両方を含めることができる。ネットワークノードは、ベースバンドコンポーネント（ベースバンドユニット（Ｂａｓｅｂａｎｄ Ｕｎｉｔ，ＢＢＵ）など）のみを含む。または、エアインターフェース層にデジタルおよび/または無線周波数機能を含まない場合があるが、上位層の信号処理のみを担当する場合があり、およびエアインターフェース層でのベースバンド処理をアクティブアンテナに配置できる。あるいは、他にも多くのネットワーク実施が可能である。
【００９１】
端末（Ｕｓｅｒ Ｅｑｕｉｐｍｅｎｔ，ＵＥ）は、端末機器、モバイルステーション（Ｍｏｂｉｌｅ Ｓｔａｔｉｏｎ，ＭＳ）、モバイル端末（Ｍｏｂｉｌｅ Ｔｅｒｍｉｎａｌ）などとも呼ばれ、当該端末は、無線アクセスネットワーク（ｒａｄｉｏ Ａｃｃｅｓｓ Ｎｅｔｗｏｒｋ，ＲＡＮ）を介して１つ以上のコアネットワークと通信することができる。たとえば、端末は携帯電話（または「携帯」電話）、モバイル端末を含むコンピュータなどであることができる。または端末はポータブル、ポケット、ハンドヘルド、ビルトイン、無線アクセスネットワークを介して音声やデータを交換するコンピュータ内または車両のモバイル装置などである。あるいは、本発明の実施形態における端末は、装置ツー装置（Ｄｅｖｉｃｅ ｔｏ Ｄｅｖｉｃｅ，Ｄ２Ｄ）端末またはマシンツーマシン（Ｍａｃｈｉｎｅ ｔｏ Ｍａｃｈｉｎｅ，Ｍ２Ｍ）端末であり得る。本発明の実施形態では、ネットワーク機器および端末はこれらに限定されない。
【００９２】
本発明の実施形態では、ネットワーク機器は、１つ以上の送信ビームを指定することができ、本発明の実施形態では、ビームの数は特定の数に限定されない。たとえば、ネットワーク機器はＳＲＩにより前記ネットワーク機器によって指定された送信ビームを示す。当該ＳＲＩに対応するＳＲＳリソースに複数のアンテナポートが設定され、端末が以前に当該ＳＲＳリソース上のＳＲＳ送信において、異なるアンテナポートで異なる送信ビームを使用したとすれば、当該ＳＲＩにより示される送信ビームは、端末が以前に当該ＳＲＳリソース上のＳＲＳ送信において、異なるアンテナポートで使用された複数の送信ビームに対応する。同様に、本発明の実施例によるネットワーク機器により指定される送信ビームに対応する送信ビームグループは、１つのビームに対応する送信ビームグループであってもよいし、複数のビームに対応する送信ビームグループであってもよい。本発明の実施例では、何個のビームに対応する送信ビームグループであるかについて限定しない。たとえば、ネットワーク機器は、ＳＲＩでネットワーク機器によって指定された１つまたは複数の送信ビームを示し、当該ＳＲＩに対応するＳＲＳリソースに複数のアンテナポートが設定される。端末が以前に当該ＳＲＳリソース上のＳＲＳ送信において、異なるアンテナポートで異なる送信ビームを使用したとすれば、当該ＳＲＩにより示される送信ビームに対応する送信ビームグループは、端末が以前に当該ＳＲＳリソース上のＳＲＳ送信において、異なるアンテナポートで使用された複数の送信ビームに対応する送信ビームグループに対応する。
【００９３】
図１に示すように、本発明の第１の実施形態によるネットワーク機器に適用するビーム管理方法は、以下のステップを含む。
【００９４】
Ｓ１０１において、前記ネットワーク機器は、端末に対しいてＳＲＳリソースを設定する。
【００９５】
Ｓ１０２において、前記ネットワーク機器は、前記端末に指示情報を送信し、前記指示情報は、前記ＳＲＳリソース上でＳＲＳを送信するための送信ビームを選択するように前記端末に指示する。
【００９６】
ステップＳ１０２における指示情報が変化するので、実施形態に係るビーム管理方法は、特に以下の方式で実行され得る。
【００９７】
方式１では、前記指示情報は、ゼロ状態を示す情報を含み、前記ゼロ状態は、前記端末が前記ＳＲＳリソース上でＳＲを送信するための送信ビームを決定することを示す。たとえば、指示情報は、端末がＳＲＳを送信するための送信ビームがネットワーク機器によって制限されないことを示す情報を含む。当該指示情報の特定状態たとえば、表１から表６の状態０００（指示情報の状態はバイナリシステムで表される）になる（これは一例にすぎず、指示情報の特定の状態は、別の値、例えば１１１、００などとして代替的に表すことができる）。
【００９８】
具体的に、ネットワーク機器が指示情報を端末に送信した後、当該端末は、任意の送信ビームを使用してネットワーク機によって現在設定された１つ以上のＳＲＳリソース上でＳＲＳを送信することができる。たとえば、ネットワーク機器は、端末に対して複数のＳＲＳリソースを設定し、端末は、異なる送信ビームを使用して異なるＳＲＳリソース上でＳＲＳを送信する。すなわち、送信ビームはスイープ（ｂｅａｍ ｓｗｅｅｐｉｎｇ）される。端末が異なる送信ビームを使用して異なるＳＲＳリソース上でＳＲＳを送信する場合、ネットワーク機器の受信端は同じ受信ビーム（Ｒｘ ｂｅａｍ）を使用してＳＲＳを受信し、当該ネットワーク機器に対応する当該受信ビーム中の端末の最適な送信ビームを決定し、端末の送信ビームがスイープされるようにする。
【００９９】
方式２では、前記指示情報は、前記ネットワーク機器によって示された送信ビームに対応する送信ビームグループ内の送信ビームを使用して前記ＳＲＳリソース上でＳＲＳを送信することを前記端末に指示するための情報および前記ネットワーク機器によって示された送信ビームの識別情報を含む。当該指示情報は、１つのコード状態としてエンコードできる。たとえば、当該指示情報の１つのコード状態は、前記指示情報に含まれる前記ネットワーク機器によって示された送信ビームに対応する送信ビームグループ内の送信ビームを使用して前記ＳＲＳリソース上でＳＲＳを送信することを前記端末に指示するための情報および、前記ネットワーク機器によって示された送信ビームの１つの識別情報を示す。
【０１００】
たとえば、表３の指示情報のコード状態１１００は、指示情報において基地局によって指定された送信ビームを、ＳＲＩ＝５であるＳＲＳリソースに対応する送信ビームを示す。そして、端末は、送信ビームグループ内の送信ビームを使用して、設定されたＳＲＳリソース上でＳＲＳを送信する。
【０１０１】
または、前記指示情は２つのコンポーネント、すなわち第１の指示情報および第２の指示情報を含むことができ、ネットワーク機器は、前記第１の指示情報および第２の指示情報を同時にまたは順次端末に送信することができる。第１の指示情報および第２の指示情報の具体的な送信順をここでは限定しない。第１の指示情報は表６のコード状態０であり得、第２の指示情報は表１のコード状態００１から０１０のうちの１つであり得る。具体的に、たとえば、第１の指示情報のコード状態０１０はＳＲＩ＝１を示し、第２の指示情報のコード状態１は、端末が基地局によって指示された送信ビームに対応する送信ビームグループを使用することを示す。第１の指示情報のコード状態０１０および第２の指示情報のコード状態１は、指示情報内の基地によって指定された送信ビームを、ＳＲＩ=１であるＳＲＳリソースに対応する送信ビームを共同で示す。そして、端末は、送信ビームグループ内の送信ビームを使用して、設定されたＳＲＳリソース上でＳＲＳを送信する。
【０１０２】
具体的に、ネットワーク機器が指示情報を端末に送信した後、当該端末は、それぞれのＳＲＳリソース上で、ネットワーク機器によって示された送信ビームに対応する送信ビームグループを使用して、ＳＲＳを送信する。ネットワーク機器によって示された送信ビームと端末に使用される送信ビームグループとの間のマッピング関係は、端末によって決定されるか、ネットワーク機器によって端末と事前に合意されるか、または、前記ネットワーク機器がシグナリングによって前記端末に送信される。ネットワーク機器によって示された送信ビームと端末に使用される送信ビームグループ間に多くのマッピング関係がある場合、ネットワーク機器は、シグナリングに端末にマッピング関係の１つを通知するか、またはマッピング指示情報は暗黙的に指示情報に含まれる。表３の指示情報の状態１０００から１０１０は第１のマッピング関係を表し、状態１０１１-１１１１は第２のマッピング関係を表す（マッピング関係は表に特に示されていない）。
【０１０３】
マッピング関係は、ネットワーク機器によって示される送信ビームと同じ幅または類似の幅を有する送信ビームのグループに対応することを指す。たとえば、ネットワーク機器は現在、端末に対してＮ個のＳＲＳリソースを設定し、端末は、指示情報の受信ときにネットワーク機器によって示された送信ビームに従って、ネットワーク機器が示す送信ビームと同じ幅のＮ個の送信ビームを使用してＳＲＳを送信する。これらのＮ個の送信ビームは、ネットワーク機器によって現在示されている送信ビームを含む場合と含まない場合がある。一例として、ネットワーク機器によって示された送信ビームは番号Ｋの送信ビームであり、端末は現在、ネットワーク機器によって４つのＳＲＳリソースが設定されているため、端末は（Ｋ-１）番目、Ｋ番目、（Ｋ＋１）番目、および（Ｋ＋２）番目の送信ビームを使用して、ＳＲＳを送信する。このマッピング関係は、それぞれのレベルでのビームスイープに適用できる。たとえば、端末の合計でＭ個の送信ビームがあるシナリオでは、第１レベルのビームがスイープされるとき、基地局が端末に対してＮ個のＳＲＳリソースを設定した場合、端末はこれらのＭ個の送信ビームをＮ個のグループに分割し、最後の送信ビームグループには
【数１】
2020523920.tif 000003
個の送信ビームが含まれ、各グループには
【数２】
2020523920.tif 000004
（ここで、
【数３】
2020523920.tif 000005
は切り上げを表す）個の送信ビームが含まれる。端末は、各ビームグループから１つのビームを選択して、１つのＳＲＳリソース上でＳＲＳを送信する。ネットワーク機器は、これらのＳＲＳを受信した後、ＳＲＩ＝ｎ（たとえば、表３のＳＲＩ＝５）を含む指示情報を端末に送信する。すなわち、ｎ番目のＳＲＳリソースに対応するビームを示す。端末に対して
【数４】
2020523920.tif 000006
個のＳＲＳリソースを設定する。端末は当該
【数５】
2020523920.tif 000007
個のＳＲＳリソース上でｎ番目のＳＲＳリソースに対応するビームが位置するビームグループのビームを使用して、ＳＲＳを送信する。このように、Ｍが大きい場合、ビームスイープを実行するように端末に対してＭ個のＳＲＳリソースを設定することと比べ、レベル化してビームをスイープすることにより、必要とするＳＲＳリソースの数を低減し、それによってオーバーヘッドを節約できる。
【０１０４】
他のマッピング関係は、ネットワーク機器によって示される送信ビームがより狭い送信ビームグループに対応し、端末が送信ビームグループの送信ビームを使用して端末用に設定された異なるＳＲＳリソース上でＳＲＳを送信することを指す。この方式では、端末は送信ビームグループのビームスイープでより細かいローカルビームスイープを実行できる。このマッピング関係は、それぞれのレベルでのビームスイープとみなすこともできる。第１レベルでのビームスイープは、より広い送信ビームで実行できる。たとえば、第１レベルの基地局は、端末に対してＮ個のＳＲＳリソースを設定する。端末は、各ビームグループから１つのビームを選択して、１つのＳＲＳリソース上でＳＲＳを送信する。ネットワーク機器は、これらのＳＲＳを受信した後、ＳＲＩ＝ｎ（たとえば、表３のＳＲＩ＝５）を含む指示情報を端末に送信する。すなわち、ｎ番目のＳＲＳリソースに対応するビームを示す。端末に対してＫ個のＳＲＳリソースを設定する。端末は、当該Ｋ個のＳＲＳリソース上でｎ番目のＳＲＳリソースに対応するビームに対応するＫ個の指向性がより強い（より狭い）ビームが含まれるグループのビームを使用して、ＳＲＳを送信する。ネットワーク機器が同じ受信ビームを使用してこれらのＳＲＳを受信する場合、このような方式で、第１レベルでのビームスイープよりも高い精度で送信ビームスイープを実行できる。すなわち、前記ネットワーク機器は、同じ受信ビームを使用して前記ＳＲＳリソース上で前記ＳＲＳを受信する。
【０１０５】
方式３では、前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、指示情報は、前記ＳＲＳリソース上でＳＲＳを送信することを示す送信ビームの識別情報をさらに含む（たとえば、特に表１に示すＳＲＩ）。
【０１０６】
ネットワーク機器が指示情報を端末に送信した後、端末は指示情報を受信し、ネットワーク機器によって指示された送信ビームの識別情報を取得し、当該識別情報に従って、事前に合意されたルールに基づき、それぞれのＳＲＳリソース上でＳＲＳを送信するための送信ビームを選択する。当該事前に合意されたルールは、すなわち、前記端末が前記ネットワーク機器によって示された送信ビームに対応する送信ビームグループ内の送信ビームを使用して前記ＳＲＳリソース上でＳＲＳを送信するための情報である。
【０１０７】
当該端末は、前記ＳＲＳリソース上で前記ネットワーク機器によって示された送信ビームに対応する送信ビームグループ内の送信ビームを使用して、ＳＲＳを送信する。ネットワーク機器の受信端は同じ受信ビーム（Ｒｘ ｂｅａｍ）を使用してＳＲＳを受信し、当該ネットワーク機器の当該受信ビームに対応する端末の最適な送信ビームを決定し、端末の送信ビームがスイープされるようにする。前記同じ受信ビームは、ネットワーク機器によって以前に選択された最適な受信ビームでも、ネットワーク機器によって別の方法で決定された受信ビームでもよい。
【０１０８】
前記端末のネットワーク機器によって示された送信ビームと、ネットワーク機器によって示される送信ビームに対応する送信ビームグループとの間のマッピング関係は、方式２におけるマッピング関係と同じであり得るので、ここでは重複する説明は省略する。同様に、ネットワーク機器によって示された送信ビームと対応する送信ビームグループ間のマッピング関係は、前記端末によって決定されるか、ネットワーク機器と端末の間で事前に合意されるか、前記端末がシグナリングにより前記ネットワーク機器から受信される。
【０１０９】
方式４では、前記指示情報は、前記ネットワーク機器によって示された送信ビームに対応する送信ビームグループ内の送信ビームを使用して前記ＳＲＳリソース上でＳＲＳを送信することを前記端末に指示するための情報を含む。特に、表４の指示情報の状態１０を参照することができる。たとえば、表４の指示情報の状態１０は、端末が指定された送信ビームに対応する送信ビームグループを使用してＳＲＳを送信するが、指示情報はＳＲＩ情報含まないことを示す。
【０１１０】
ネットワーク機器によって示された送信ビームの識別情報（たとえば、ＳＲＩ情報）の場合、当該指示情報は当該識別情報を含まず、ネットワーク機器によって示された送信ビームの識別情報（たとえば、ＳＲＩ情報）は、他の方式でネットワーク機器によって端末に送信される。たとえば、基地局は、ＳＲＩ情報を端末に個別に送信して、端末の送信ビームの識別情報を示す。
【０１１１】
ネットワーク機器の送信モジュールが指示情報を端末に送信した後、端末は指示情報を受信し、端末は、基地局によって指示された送信ビームの識別情報を取得し、前記端末が前記ネットワーク機器によって示された送信ビームに対応する送信ビームグループ内の送信ビームを使用して前記ＳＲＳリソース上でＳＲＳを送信する。
【０１１２】
前記端末のネットワーク機器によって示された送信ビームと、ネットワーク機器によって示される送信ビームに対応する送信ビームグループとの間のマッピング関係は、方式２におけるマッピング関係と同じであり得るので、ここでは重複する説明は省略する。
【０１１３】
上記方式１から方式４では、前記ＳＲＳリソース上で前記端末によって送信されたＳＲＳに対し、前記ネットワーク機器は、同じ受信ビームを使用して前記ＳＲＳリソース上で前記ＳＲＳを受信する。
【０１１４】
上記方式２から方式４では、前記ネットワーク機器によって示された送信ビームと対応する送信ビームグループ間のマッピング関係は、前記端末によって決定されるか、またはネットワークと端末の間で事前に合意され得るか、またはネットワーク機器から端末にシグナリングにより送信される。
【０１１５】
方式５では、前記指示情報は、前記ネットワーク機器によって示された送信ビームを使用して前記ＳＲＳリソース上でＳＲＳを送信することを前記端末に指示するための情報および前記ネットワーク機器によって示された送信ビームの識別情報を含む。当該指示情報は、１つのコード状態としてエンコードできる。たとえば、当該指示情報の１つのコード状態は、前記指示情報は、前記ネットワーク機器によって示された送信ビームを使用して前記ＳＲＳリソース上でＳＲＳを送信することを前記端末に指示するための情報および前記ネットワーク機器によって示された送信ビームの１つの識別情報で示される送信ビームを使用してＳＲＳリソース上でＳＲＳを送信するための端末を示す情報を含むことを示す。たとえば、表３の指示情報のコード状態１１００は、指示情報には基地局によって指定された送信ビームを、ＳＲＩ＝５のＳＲＳリソースに対応する送信ビームが含まれることを示す。端末は、当該送信ビームを使用して、設定されたＳＲＳリソース上でＳＲＳを送信する。
【０１１６】
または、前記指示情は２つのコンポーネント、すなわち第１の指示情報および第２の指示情報を含むことができ、ネットワーク機器は、前記第１の指示情報および第２の指示情報を同時にまたは順次端末に送信することができる。第１の指示情報および第２の指示情報の具体的な送信順をここでは限定しない。第１の指示情報は表６のコード状態１であり得、第２の指示情報は表１のコード状態００１から０１０のうちの１つであり得る。具体的に、たとえば、第１の指示情報のコード状態０１０はＳＲＩ＝１を示し、第２の指示情報のコード状態１は、端末が基地局によって指示される送信ビームを使用することを示す。第１の指示情報のコード状態０１０および第２の指示情報のコード状態１は、指示情報内の基地によって指定された送信ビームを、ＳＲＩ=１であるＳＲＳリソースに対応する送信ビームを共同で示す。端末は、当該送信ビームを使用して、設定されたＳＲＳリソース上でＳＲＳを送信する。
【０１１７】
具体的に、ネットワーク機器、指示情報を端末に送信し、端末は指示情報を受信し、ネットワーク機によって現在設定された１つ以上のＳＲＳリソース上でネットワーク機器によって示された送信ビームを使用して、ＳＲＳを送信する。
【０１１８】
たとえば、指示情報は、ネットワーク機器によって指示される送信ビームの識別情報をさらに含み、当該識別情報たとえば、指示情報の状態を示すＳＲＩ情報であり、ＳＲＩは、端末が以前にＳＲＳを送信するためのＳＲＳリソースＳＲＳリソース番号を示し、詳しくは、表２を参照する。たとえば、表２の状態００１-１１０。端末が当該ＳＲＩ情報を決定した後、ネットワーク機によって現在設定されたすべてのＳＲＳリソースにおける当該ＳＲＩに対応するＳＲＳリソース上で送信ビームを使用して、ＳＲＳを送信する。また、複数のコード状態はＳＲＩの同じ値を表すことができ、たとえば、例えば、指示情報の状態００１および０１０はＳＲＩ＝０を表すことができる。
【０１１９】
指示情報は、端末がＳＲＳを送信するための送信ビームをどのように選択するかを示し、ネットワーク機器によって示された送信ビームの識別情報は、別個に送信することができる。たとえば、ネットワーク機器は、ＳＲＩ情報をさらに端末に送信して、端末の送信ビームを示す。
【０１２０】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０１２１】
方式６では、前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報（たとえば、特に表１に示すＳＲＩ）を含む。
【０１２２】
ネットワーク機器が指示情報を端末に送信した後、端末は指示情報を受信し、ネットワーク機器によって指示された送信ビームの識別情報を取得し、当該識別情報に従って、事前に合意されたルールに基づき、それぞれのＳＲＳリソース上でＳＲＳを送信するための送信ビームを選択する。当該事前に合意されたルールは、すなわち、前記端末は、前記ネットワーク機器によって示された送信ビームを使用して前記ＳＲＳリソース上でＳＲＳを送信するための情報である。
【０１２３】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０１２４】
方式７では、前記指示情報は、前記ネットワーク機器によって示された送信ビームを使用して前記ＳＲＳリソース上でＳＲＳを送信することを前記端末に指示するための情報を含む。特に、表４の指示情報の状態１０、または表５の指示情報の状態０１を参照することができる。たとえば、表４の指示情報の状態０１は、端末が指定された送信ビームでＳＲＳを送信するが、指示情報はＳＲＩ情報を含まないことを示す。
【０１２５】
ネットワーク機器によって示された送信ビームの識別情報（たとえば、ＳＲＩ情報）の場合、当該指示情報は当該識別情報を含まず、ネットワーク機器によって示された送信ビームの識別情報（たとえば、ＳＲＩ情報）は、他の方式でネットワーク機器によって端末に送信される。たとえば、基地局は、ＳＲＩ情報を端末に個別に送信して、端末の送信ビームの識別情報を示す。
【０１２６】
端末は、ネットワーク機器によって送信された指示情報の受信ときに、続いて取得されたＳＲＩ情報に従って、ＳＲＳを送信するための送信ビームを選択する。
【０１２７】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０１２８】
方式８では、前記指示情報は、前記ネットワーク機器によって前記端末に対して設定されたＳＲＳリソースがグルーピングされることを示す情報、および前記ネットワーク機器が端末のＳＲＳを送信するための送信ビームを制限しない情報を含み。ここで、端末のＳＲＳを送信するための送信ビームを制限しない情報は、すなわち、前記指示情報は、前記端末が前記ＳＲＳリソース上でＳＲを送信するための前記端末の送信ビームを決定することを示す。前記端末は、任意の送信ビームを使用して前記ＳＲＳリソース上でＳＲＳを送信することができる。前記ＳＲＳリソースのグルーピング情報（すなわち、ＳＲＳリソースのグルーピング方法）は、前記端末によって決定されるか、またはネットワークと端末の間で事前に合意され得るか、またはネットワーク機器から端末にシグナリングにより送信される。
【０１２９】
リソースのグルーピング情報が前記ネットワーク機器によって端末にシグナリングされる場合、前記ネットワーク機器は、指示情報でＳＲＳリソースのグルーピング情報を運ぶか、または、指示情報の送信に用いられる信号と異なる他の送信信号でＳＲＳリソースのグルーピング情報を端末に送信することもできる。端末は、指示情報の状態の受信ときにネットワーク機によって現在設定された１つ以上のＳＲＳリソース上で任意の送信ビームを使用して、ＳＲＳを送信する。
【０１３０】
たとえば、ネットワーク機器は、ＳＲＳリソースのグルーピングが、端末からネットワーク機器に報告されたスイープ待機の送信ビームの数およびネットワーク機によって現在設定されたＳＲＳリソースの数に従って決定されることを、端末と事前に合意する。ネットワーク機器が現在Ｍ個のＳＲＳリソースを設定し、端末からネットワーク機器に報告されたスイープ待機の送信ビームの数がＮであれば、１番目、２番目、…、およびＮ番目のＳＲＳリソースを１グループとし、（Ｎ＋１）番目、（Ｎ＋２）番目、…、および２Ｎ番目のＳＲＳリソースを１グループとし、このように類推できる。
【０１３１】
前記指示が、前記ネットワーク機器によって前記端末に対して設定されたＳＲＳリソースをグルーピングすることを示す情報を含む場合、端末がＳＲＳリソースのグルーピング情報を取得する方法に関係なく（たとえば、上記ＳＲＳリソースのグルーピング情報は前記端末によって決定されるか、またはネットワークと端末の間で事前に合意され得るか、またはネットワーク機器から端末にシグナリングにより送信されるか、または当業者が思い付くことができるような、端末がＳＲＳリソースのグルーピング情報を知ることができる他の方式）、端末は、同じグループのＳＲＳリソース異なるリソース上で異なる送信ビームを使用して送信することができ、こうして送信ビームをスイープすることができるようになる。ネットワーク機器は、同じ受信ビームを使用して同じグループのＳＲＳリソースでＳＲＳを受信し、異なる受信ビームを使用して異なるグループのＳＲＳリソースでＳＲＳを受信する。
【０１３２】
このような解決策によれば、ネットワーク機器の受信ビームおよび端末の送信ビームをスイープすることができる。別の実施では、ネットワーク機器は、ＳＲＳリソースをグルーピングするルールについて端末と事前に合意し、ネットワーク機器は、シグナリングによって、端末に対して設定されたＳＲＳリソースのグループの数を、端末に通知する。たとえば、端末に対して設定されたＳＲＳリソースがＫ個のグループにグルーピングされることを端末に通知するため、合意されたＳＲＳリソースのグルーピングルールに従って、端末は、１番目、１番目、２番目、…、およびＭ番目（１番目のグループ、合計Ｋグループ）のＳＲＳリソースを１グループとし、（Ｎ＋１）番目、（Ｎ＋２）番目、…、および２Ｍ番目（２番目のグループ、合計Ｋグループ）のＳＲＳリソースを１グループとし、このように類推できる。または、指示情報の状態は、端末用に設定されたＳＲＳリソースのグルーピング情報を含む。たとえば、指示情報の状態００１-０１０は１つのＳＲＳリソースグループのみを表し、０１１-１００は２つのＳＲＳリソースグループを表す（表には示されていない）。
【０１３３】
ビーム管理方法の上記のそれぞれの特定の実施では、送信ビームの識別情報は、特に、端末用のネットワーク機器によって構成されたＳＲＳリソースのＳＲＳリソース指示（ＳＲＩ）情報であり得る。
【０１３４】
図２に示すように、本発明の第２の実施形態によるビーム管理方法は、端末に適用可能であり、以下のステップを含む。
【０１３５】
Ｓ２０１では、前記端末は、ネットワーク機器によって送信された指示情報を受信し、前記指示情報は前記ネットワーク機器によって前記端末に対して設定されたＳＲＳリソース上でＳＲＳ信号を送信するための送信ビームを選択することを、前記端末に指示する。
【０１３６】
Ｓ２０２では、端末は、前記ネットワークによって送信された指示情報に従って、前記ＳＲＳリソース上で使用される送信ビームを決定し、前記送信ビームを使用して前記ＳＲＳリソース上でＳＲＳを送信する。
【０１３７】
ステップＳ２０２における指示情報が変化するので、本実施形態によるビーム管理方法は、特に以下の方式で実行することができる。
【０１３８】
方式１では、前記指示情報は、ゼロ状態を示す情報を含み、前記ゼロ状態は、前記端末が前記ＳＲＳリソース上でＳＲを送信するための送信ビームを決定することを示す。たとえば、指示情報は、端末がＳＲＳを送信するための送信ビームがネットワーク機器によって制限されないことを示す情報を含む。たとえば、当該指示情報の特定の状態は、表１から表６の状態０００（指示情報の状態はバイナリシステムで表される）になる（これは一例にすぎず、指示情報の特定の状態は、別の値、例えば１１１、００などとして代替的に表すことができる）。
【０１３９】
具体的に、すなわち、端末がネットワーク機器からの送信指示情報を受信した後、当該端末は、任意の送信ビームを使用してネットワーク機によって現在設定された１つ以上のＳＲＳリソース上でＳＲＳを送信することができる。
【０１４０】
たとえば、ネットワーク機器は、端末に対して複数のＳＲＳリソースを設定し、端末は、異なる送信ビームを使用して異なるＳＲＳリソース上でＳＲＳを送信する。すなわち、送信ビームはスイープ（ｂｅａｍ ｓｗｅｅｐｉｎｇ）される。端末が異なる送信ビームを使用して異なるＳＲＳリソース上でＳＲＳを送信する場合、ネットワーク機器の受信端は同じ受信ビーム（Ｒｘ ｂｅａｍ）を使用してＳＲＳを受信し、当該ネットワーク機器に対応する当該受信ビーム中の端末の最適な送信ビームを決定し、端末の送信ビームがスイープされるようにする。
【０１４１】
方式２では、前記指示情報は、前記ネットワーク機器によって示された送信ビームに対応する送信ビームグループ内の送信ビームを使用して前記ＳＲＳリソース上でＳＲＳを送信することを前記端末に指示するための情報および前記ネットワーク機器によって示された送信ビームの識別情報を含む。当該指示情報は、１つのコード状態としてエンコードできる。たとえば、当該指示情報の１つのコード状態は、前記指示情報に含まれる前記ネットワーク機器によって示された送信ビームに対応する送信ビームグループ内の送信ビームを使用して前記ＳＲＳリソース上でＳＲＳを送信することを前記端末に指示するための情報および、前記ネットワーク機器によって示された送信ビームの１つの識別情報を示す。
【０１４２】
たとえば、表３の指示情報のコード状態１１００は、指示情報において基地局によって指定された送信ビームを、ＳＲＩ＝５であるＳＲＳリソースに対応する送信ビームを示す。端末は、当該送信ビームを使用して、送信ビームグループ内の送信ビームに対応する設定されたＳＲＳリソース上でＳＲＳを送信する。
【０１４３】
または、前記指示情は２つのコンポーネント、すなわち第１の指示情報および第２の指示情報を含むことができ、ネットワーク機器は、前記第１の指示情報および第２の指示情報を同時にまたは順次端末に送信することができる。第１の指示情報および第２の指示情報の具体的な送信順をここでは限定しない。第１の指示情報は表６のコード状態０であり得、第２の指示情報は表１のコード状態００１から０１０のうちの１つであり得る。具体的に、たとえば、第１の指示情報のコード状態０１０はＳＲＩ＝１を示し、第２の指示情報のコード状態１は、端末が基地局によって指示された送信ビームに対応する送信ビームグループを使用することを示す。第１の指示情報のコード状態０１０および第２の指示情報のコード状態１は、指示情報内の基地によって指定された送信ビームを、ＳＲＩ=１であるＳＲＳリソースに対応する送信ビームを共同で示す。そして、端末は、送信ビームグループ内の送信ビームを使用して、設定されたＳＲＳリソース上でＳＲＳを送信する。具体的に、すなわち、端末がネットワーク機器からの送信指示情報を受信した後、当該端末は、それぞれのＳＲＳリソース上で、ネットワーク機器によって示された送信ビームに対応する送信ビームグループを使用して、ＳＲＳを送信する。たとえば、前記端末は、前記ＳＲＳリソース上で前記ネットワーク機器によって示された送信ビームに対応する送信ビームグループ内の送信ビームを使用して、ＳＲＳを送信する。
【０１４４】
ネットワーク機器によって示された送信ビームと端末に使用される送信ビームグループとの間のマッピング関係は、端末によって決定されるか、または、端末とネットワーク機器が事前に合意されるか、または、前記端末がシグナリングにより前記ネットワーク機器から受信される。ネットワーク機器によって示された送信ビームと端末に使用される送信ビームグループ間に多くのマッピング関係がある場合、ネットワーク機器は、シグナリングに端末にマッピング関係の１つを通知するか、またはマッピング指示情報は暗黙的に指示情報に含まれる。表３の指示情報の状態１０００から１０１０は第１のマッピング関係を表し、状態１０１１-１１１１は第２のマッピング関係を表す（マッピング関係は表に特に示されていない）。
【０１４５】
マッピング関係は、ネットワーク機器によって示される送信ビームと同じ幅または類似の幅を有する送信ビームのグループに対応することを指す。たとえば、ネットワーク機器は現在、端末に対してＮ個のＳＲＳリソースを設定し、端末は、指示情報の受信ときにネットワーク機器によって示された送信ビームに従って、ネットワーク機器が示す送信ビームと同じ幅のＮ個の送信ビームを使用してＳＲＳを送信する。これらのＮ個の送信ビームは、ネットワーク機器によって現在示されている送信ビームを含む場合と含まない場合がある。一例として、ネットワーク機器によって示された送信ビームは番号Ｋの送信ビームであり、端末は現在、ネットワーク機器によって４つのＳＲＳリソースが設定されているため、端末は（Ｋ-１）番目、Ｋ番目、（Ｋ＋１）番目、および（Ｋ＋２）番目の送信ビームを使用して、ＳＲＳを送信する。このマッピング関係は、それぞれのレベルでのビームスイープに適用できる。たとえば、端末の合計でＭ個の送信ビームがあるシナリオでは、第１レベルのビームがスイープされるとき、基地局が端末に対してＮ個のＳＲＳリソースを設定した場合、端末はこれらのＭ個の送信ビームをＮ個のグループに分割し、最後の送信ビームグループには
【数６】
2020523920.tif 000008
個の送信ビームが含まれ、各グループには
【数７】
2020523920.tif 000009
（ここで、
【数８】
2020523920.tif 000010
は切り上げを表す）個の送信ビームが含まれる。端末は、各ビームグループから１つのビームを選択して、１つのＳＲＳリソース上でＳＲＳを送信する。ネットワーク機器は、これらのＳＲＳを受信した後、ＳＲＩ＝ｎ（たとえば、表３のＳＲＩ＝５）を含む指示情報を端末に送信する。すなわち、ｎ番目のＳＲＳリソースに対応するビームを示す。端末に対して
【数９】
2020523920.tif 000011
個のＳＲＳリソースを設定する。端末は当該
【数１０】
2020523920.tif 000012
個のＳＲＳリソース上でｎ番目のＳＲＳリソースに対応するビームが位置するビームグループのビームを使用して、ＳＲＳを送信する。このように、Ｍが大きい場合、ビームスイープを実行するように端末に対してＭ個のＳＲＳリソースを設定することと比べ、レベル化してビームをスイープすることにより、必要とするＳＲＳリソースの数を減少し、それによってオーバーヘッドを節約できる。
【０１４６】
他のマッピング関係は、ネットワーク機器によって示される送信ビームがより狭い送信ビームグループに対応し、端末が送信ビームグループの送信ビームを使用して端末用に設定された異なるＳＲＳリソース上でＳＲＳを送信することを指す。この方式では、端末は送信ビームグループのビームスイープでより細かいローカルビームスイープを実行できる。このマッピング関係は、それぞれのレベルでのビームスイープとみなすこともできる。第１レベルでのビームスイープは、より広い送信ビームで実行できる。たとえば、第１レベルの基地局は、端末に対してＮ個のＳＲＳリソースを設定する。端末は、各ビームグループから１つのビームを選択して、１つのＳＲＳリソース上でＳＲＳを送信する。ネットワーク機器は、これらのＳＲＳを受信した後、ＳＲＩ＝ｎ（たとえば、表３のＳＲＩ＝５）を含む指示情報を端末に送信する。すなわち、ｎ番目のＳＲＳリソースに対応するビームを示す。端末に対して個のＳＲＳリソースを設定するＫ個のＳＲＳリソース。端末は、当該Ｋ個のＳＲＳリソース上でｎ番目のＳＲＳリソースに対応するビームに対応するＫ個の指向性がより強い（より狭い）ビームが含まれるグループのビームを使用して、ＳＲＳを送信する。ネットワーク機器が同じ受信ビームを使用してこれらのＳＲＳを受信する場合、このような方式で、第１レベルでのビームスイープよりも高い精度で送信ビームスイープを実行できる。すなわち、前記ネットワーク機器は、同じ受信ビームを使用して前記ＳＲＳリソース上で前記ＳＲＳを受信する。
【０１４７】
方式３では、前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、指示情報は、前記ＳＲＳリソース上でＳＲＳを送信することを示す送信ビームの識別情報をさらに含む（たとえば、特に表１に示すＳＲＩ）。
【０１４８】
端末がネットワーク機器からの送信指示情報を受信した後、ネットワーク機器によって指示された送信ビームの識別情報を取得し、当該識別情報に従って、事前に合意されたルールに基づき、それぞれのＳＲＳリソース上でＳＲＳを送信するための送信ビームを選択する。当該事前に合意されたルールは、すなわち、前記端末が前記ネットワーク機器によって示された送信ビームに対応する送信ビームグループ内の送信ビームを使用して前記ＳＲＳリソース上でＳＲＳを送信するための情報である。
【０１４９】
当該端末は、前記ＳＲＳリソース上で前記ネットワーク機器によって示された送信ビームに対応する送信ビームグループ内の送信ビームを使用して、ＳＲＳを送信する。ネットワーク機器の受信端は同じ受信ビーム（Ｒｘ ｂｅａｍ）を使用してＳＲＳを受信し、当該ネットワーク機器の当該受信ビームに対応する端末の最適な送信ビームを決定し、端末の送信ビームがスイープされるようにする。前記同じ受信ビームは、ネットワーク機器によって以前に選択された最適な受信ビームでも、ネットワーク機器によって別の方法で決定された受信ビームでもよい。前記端末のネットワーク機器によって示された送信ビームと、ネットワーク機器によって示される送信ビームに対応する送信ビームグループとの間のマッピング関係は、本実施例の方式２でのマッピング関係と同じであり、ここでは重複する説明は省略する。同様に、ネットワーク機器によって示された送信ビームと対応する送信ビームグループ間のマッピング関係は、前記端末によって決定されるか、ネットワーク機器と端末の間で事前に合意されるか、前記端末がシグナリングにより前記ネットワーク機器から受信される。
【０１５０】
方式４では、前記指示情報は、前記ネットワーク機器によって示された送信ビームに対応する送信ビームグループ内の送信ビームを使用して前記ＳＲＳリソース上でＳＲＳを送信することを前記端末に指示するための情報を含む。特に、表４の指示情報の状態１０を参照することができる。たとえば、表４の指示情報の状態１０は、端末が指定された送信ビームに対応する送信ビームグループを使用してＳＲＳを送信するが、指示情報はＳＲＩ情報含まないことを示す。
【０１５１】
ネットワーク機器によって示された送信ビームの識別情報（たとえば、ＳＲＩ情報）の場合、当該指示情報は当該識別情報を含まず、ネットワーク機器によって示された送信ビームの識別情報（たとえば、ＳＲＩ情報）は、他の方式でネットワーク機器によって端末に送信される。たとえば、基地局は、ＳＲＩ情報を端末に個別に送信して、端末の送信ビームの識別情報を示す。
【０１５２】
具体的に、端末がネットワーク機器からの送信指示情報を受信した後、端末が到基地局からＳＲＩ情報を再び受信すると、前記端末は、前記ＳＲＳリソース上で前記ネットワーク機器によって示された送信ビームに対応する送信ビームグループ内の送信ビームを使用して、ＳＲＳを送信する。
【０１５３】
前記端末のネットワーク機器によって示された送信ビームと、ネットワーク機器によって示される送信ビームに対応する送信ビームグループとの間のマッピング関係は、本実施例の方式２でのマッピング関係と同じであり、ここでは重複する説明は省略する。同様に、ネットワーク機器によって示された送信ビームと対応する送信ビームグループ間のマッピング関係は、前記端末によって決定されるか、ネットワーク機器と端末の間で事前に合意されるか、前記端末がシグナリングにより前記ネットワーク機器から受信される。
【０１５４】
方式２-方式４について、前記端末は、前記ＳＲＳリソース上で前記ネットワーク機器によって示された送信ビームに対応する送信ビームグループ内の送信ビームを使用して、ＳＲＳを送信する。
【０１５５】
上記方式１から方式４では、前記ＳＲＳリソース上で前記端末によって送信されたＳＲＳに対し、前記ネットワーク機器は、同じ受信ビームを使用して前記ＳＲＳリソース上で前記ＳＲＳを受信する。
【０１５６】
上記方式２から方式４では、前記ネットワーク機器によって示された送信ビームと対応する送信ビームグループ間のマッピング関係は、前記端末によって決定されるか、ネットワーク機器と端末の間で事前に合意されるか、前記端末がシグナリングにより前記ネットワーク機器から受信される。
【０１５７】
方式５では、前記指示情報は、前記ネットワーク機器によって示された送信ビームを使用して前記ＳＲＳリソース上でＳＲＳを送信することを前記端末に指示するための情報および前記ネットワーク機器によって示された送信ビームの識別情報を含む。当該指示情報は、１つのコード状態としてエンコードできる。たとえば、当該指示情報の１つのコード状態は、前記指示情報は、前記ネットワーク機器によって示された送信ビームを使用して前記ＳＲＳリソース上でＳＲＳを送信することを前記端末に指示するための情報および前記ネットワーク機器によって示された送信ビームの１つの識別情報で示される送信ビームを使用してＳＲＳリソース上でＳＲＳを送信するための端末を示す情報を含むことを示す。たとえば、表３の指示情報のコード状態１１００は、指示情報には基地局によって指定された送信ビームを、ＳＲＩ＝５のＳＲＳリソースに対応する送信ビームが含まれることを示す。端末は、当該送信ビームを使用して、設定されたＳＲＳリソース上でＳＲＳを送信する。
【０１５８】
または、前記指示情は２つのコンポーネント、すなわち第１の指示情報および第２の指示情報を含むことができ、ネットワーク機器は、前記第１の指示情報および第２の指示情報を同時にまたは順次端末に送信することができる。第１の指示情報および第２の指示情報の具体的な送信順をここでは限定しない。第１の指示情報は表６のコード状態１であり得、第２の指示情報は表１のコード状態００１から０１０のうちの１つであり得る。具体的に、たとえば、第１の指示情報のコード状態０１０はＳＲＩ＝１を示し、第２の指示情報のコード状態１は、端末が基地局によって指示される送信ビームを使用することを示す。第１の指示情報のコード状態０１０および第２の指示情報のコード状態１は、指示情報内の基地によって指定された送信ビームを、ＳＲＩ=１であるＳＲＳリソースに対応する送信ビームを共同で示す。端末は、当該送信ビームを使用して、設定されたＳＲＳリソース上でＳＲＳを送信する。
【０１５９】
具体的に、端末ネットワーク機器によって送信された指示情報を受信し、ネットワーク機によって現在設定された１つ以上のＳＲＳリソース上でネットワーク機器によって示された送信ビームを使用して、ＳＲＳを送信する。
【０１６０】
たとえば、指示情報は、ネットワーク機器によって指示される送信ビームの識別情報をさらに含み、当該識別情報たとえば、指示情報の状態を示すＳＲＩ情報であり、ＳＲＩは、端末が以前にＳＲＳを送信するためのＳＲＳリソースＳＲＳリソース番号を示し、詳しくは、表２を参照する。たとえば、表２の状態００１-１１０。端末が当該ＳＲＩ情報を決定した後、ネットワーク機によって現在設定されたすべてのＳＲＳリソースにおける当該ＳＲＩに対応するＳＲＳリソース上で送信ビームを使用して、ＳＲＳを送信する。また、複数のコード状態はＳＲＩの同じ値を表すことができ、たとえば、例えば、指示情報の状態００１および０１０はＳＲＩ＝０を表すことができる。
【０１６１】
指示情報は、端末がＳＲＳを送信するための送信ビームをどのように選択するかを示し、ネットワーク機器によって示された送信ビームの識別情報は、別個に送信することができる。たとえば、ネットワーク機器は、ＳＲＩ情報をさらに端末に送信して、端末の送信ビームを示す。
【０１６２】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０１６３】
方式６では、前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報（たとえば、特に表１に示すＳＲＩ）を含む。
【０１６４】
端末がネットワーク機器によって送信された指示情報を受信した後、ネットワーク機器によって指示された送信ビームの識別情報を取得し、当該識別情報に従って、事前に合意されたルールに基づき、それぞれのＳＲＳリソース上でＳＲＳを送信するための送信ビームを選択する。当該事前に合意されたルールは、すなわち、前記端末は、前記ネットワーク機器によって示された送信ビームを使用して前記ＳＲＳリソース上でＳＲＳを送信するための情報である。
【０１６５】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０１６６】
方式７では、前記指示情報は、前記ネットワーク機器によって示された送信ビームを使用して前記ＳＲＳリソース上でＳＲＳを送信することを前記端末に指示するための情報を含む。特に、表４の指示情報の状態１０、または表５の指示情報の状態０１を参照することができる。たとえば、表４の指示情報の状態０１は、端末が指定された送信ビームでＳＲＳを送信するが、指示情報はＳＲＩ情報を含まないことを示す。
【０１６７】
ネットワーク機器によって示された送信ビームの識別情報（たとえば、ＳＲＩ情報）の場合、当該指示情報は当該識別情報を含まず、ネットワーク機器によって示された送信ビームの識別情報（たとえば、ＳＲＩ情報）は、他の方式でネットワーク機器によって端末に送信される。たとえば、基地局は、ＳＲＩ情報を端末に個別に送信して、端末の送信ビームの識別情報を示す。
【０１６８】
端末は、ネットワーク機器によって送信された指示情報の受信ときに、続いて取得されたＳＲＩ情報に従って、ＳＲＳを送信するための送信ビームを選択する。
【０１６９】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０１７０】
方式８では、前記指示情報は、前記ネットワーク機器によって前記端末に対して設定されたＳＲＳリソースがグルーピングされることを示す情報、および前記ネットワーク機器が端末のＳＲＳを送信するための送信ビームを制限しない情報を含み。ここで、端末のＳＲＳを送信するための送信ビームを制限しない情報は、すなわち、前記指示情報は、前記端末が前記ＳＲＳリソース上でＳＲを送信するための前記端末の送信ビームを決定することを示す。前記ＳＲＳリソースのグルーピング情報（すなわち、ＳＲＳリソースのグルーピング方法）は、前記端末によって決定されるか、またはネットワークと端末の間で事前に合意され得るか、またはネットワーク機器から端末にシグナリングにより送信される。
【０１７１】
リソースのグルーピング情報が前記ネットワーク機器によって端末にシグナリングされる場合、前記ネットワーク機器は、指示情報でＳＲＳリソースのグルーピング情報を運ぶか、または、指示情報の送信に用いられる信号と異なる他の送信信号でＳＲＳリソースのグルーピング情報を端末に送信することもできる。端末は、指示情報の状態の受信ときにネットワーク機によって現在設定された１つ以上のＳＲＳリソース上で任意の送信ビームを使用して、ＳＲＳを送信する。
【０１７２】
たとえば、ネットワーク機器は、ＳＲＳリソースのグルーピングが、端末からネットワーク機器に報告されたスイープ待機の送信ビームの数およびネットワーク機によって現在設定されたＳＲＳリソースの数に従って決定されることを、端末と事前に合意する。ネットワーク機器が現在Ｍ個のＳＲＳリソースを設定し、端末からネットワーク機器に報告されたスイープ待機の送信ビームの数がＮであれば、１番目、２番目、…、およびＮ番目のＳＲＳリソースを１グループとし、（Ｎ＋１）番目、（Ｎ＋２）番目、…、および２Ｎ番目のＳＲＳリソースを１グループとし、このように類推できる。
【０１７３】
前記指示が、前記ネットワーク機器によって前記端末に対して設定されたＳＲＳリソースをグルーピングすることを示す情報を含む場合、端末がＳＲＳリソースのグルーピング情報を取得する方法に関係なく（たとえば、上記ＳＲＳリソースのグルーピング情報は前記端末によって決定されるか、またはネットワークと端末の間で事前に合意され得るか、またはネットワーク機器から端末にシグナリングにより送信されるか、または当業者が思い付くことができるような、端末がＳＲＳリソースのグルーピング情報を知ることができる他の方式）、端末は、同じグループのＳＲＳリソース異なるリソース上で異なる送信ビームを使用して送信することができ、こうして送信ビームをスイープすることができるようになる。ネットワーク機器は、同じ受信ビームを使用して同じグループのＳＲＳリソースでＳＲＳを受信し、異なる受信ビームを使用して異なるグループのＳＲＳリソースでＳＲＳを受信する。
【０１７４】
このような解決策によれば、ネットワーク機器の受信ビームおよび端末の送信ビームをスイープすることができる。別の実施では、ネットワーク機器は、ＳＲＳリソースをグルーピングするルールについて端末と事前に合意し、ネットワーク機器は、シグナリングによって、端末に対して設定されたＳＲＳリソースのグループの数を、端末に通知する。たとえば、端末に対して設定されたＳＲＳリソースがＫ個のグループにグルーピングされることを端末に通知するため、合意されたＳＲＳリソースのグルーピングルールに従って、端末は、１番目、１番目、２番目、…、およびＭ番目（１番目のグループ、合計Ｋグループ）のＳＲＳリソースを１グループとし、（Ｎ＋１）番目、（Ｎ＋２）番目、…、および２Ｍ番目（２番目のグループ、合計Ｋグループ）のＳＲＳリソースを１グループとし、このように類推できる。または、指示情報の状態は、端末用に設定されたＳＲＳリソースのグルーピング情報を含む。たとえば、指示情報の状態００１-０１０は１つのＳＲＳリソースグループのみを表し、０１１-１００は２つのＳＲＳリソースグループを表す（表には示されていない）。
【０１７５】
ビーム管理方法の上記のそれぞれの特定の実施では、送信ビームの識別情報は、特に、前記ネットワーク機器によって前記端末に対して設定されたＳＲＳリソースのＳＲＳリソース指示情報ＳＲＩ。
【０１７６】
図３に示すように、本発明の第３の実施形態によるネットワーク機器は、
端末に対してＳＲＳリソースを設定するための設定モジュール３０１と、
前記端末に指示情報を送信するための送信モジュール３０２と、を備える。
【０１７７】
前記指示情報は、前記ＳＲＳリソース上でＳＲＳを送信するための送信ビームを選択するように前記端末に指示する。
【０１７８】
上記送信モジュールによって送信された指示情報は異なり、本実施例のネットワーク機器は、いかとおりに動作する。
【０１７９】
方式１では、前記指示情報は、ゼロ状態を示す情報を含み、前記ゼロ状態は、前記端末が前記ＳＲＳリソース上でＳＲを送信するための送信ビームを決定することを示す。たとえば、指示情報は、端末がＳＲＳを送信するための送信ビームがネットワーク機器によって制限されないことを示す情報を含む。たとえば、当該指示情報の特定の状態は、表１から表６の状態０００（指示情報の状態はバイナリシステムで表される）になる（これは一例にすぎず、指示情報の特定の状態は、別の値、例えば１１１、００などとして代替的に表すことができる）。
【０１８０】
具体的に、すなわち、ネットワーク機器の送信モジュールが指示情報を端末に送信した後、当該端末は、任意の送信ビームを使用してネットワーク機によって現在設定された１つ以上のＳＲＳリソース上でＳＲＳを送信することができる。たとえば、ネットワーク機器は、端末に対して複数のＳＲＳリソースを設定し、端末は、異なる送信ビームを使用して異なるＳＲＳリソース上でＳＲＳを送信する。すなわち、送信ビームはスイープ（ｂｅａｍ ｓｗｅｅｐｉｎｇ）される。端末が異なる送信ビームを使用して異なるＳＲＳリソース上でＳＲＳを送信する場合、ネットワーク機器の受信端は同じ受信ビーム（Ｒｘ ｂｅａｍ）を使用してＳＲＳを受信し、当該ネットワーク機器に対応する当該受信ビーム中の端末の最適な送信ビームを決定し、端末の送信ビームがスイープされるようにする。
【０１８１】
方式２では、前記指示情報は、前記ネットワーク機器によって示された送信ビームに対応する送信ビームグループ内の送信ビームを使用して前記ＳＲＳリソース上でＳＲＳを送信することを前記端末に指示するための情報および前記ネットワーク機器によって示された送信ビームの識別情報を含む。当該指示情報は、１つのコード状態としてエンコードできる。たとえば、当該指示情報の１つのコード状態は、前記指示情報に含まれる前記ネットワーク機器によって示された送信ビームに対応する送信ビームグループ内の送信ビームを使用して前記ＳＲＳリソース上でＳＲＳを送信することを前記端末に指示するための情報および、前記ネットワーク機器によって示された送信ビームの１つの識別情報を示す。たとえば、表３の指示情報のコード状態１１００は、指示情報において基地局によって指定された送信ビームを、ＳＲＩ＝５であるＳＲＳリソースに対応する送信ビームを示す。端末は、当該送信ビームを使用して、送信ビームグループ内の送信ビームに対応する設定されたＳＲＳリソース上でＳＲＳを送信する。
【０１８２】
または、前記指示情は２つのコンポーネント、すなわち第１の指示情報および第２の指示情報を含むことができ、ネットワーク機器は、前記第１の指示情報および第２の指示情報を同時にまたは順次端末に送信することができる。第１の指示情報および第２の指示情報の具体的な送信順をここでは限定しない。第１の指示情報は表６のコード状態０であり得、第２の指示情報は表１のコード状態００１から０１０のうちの１つであり得る。具体的に、たとえば、第１の指示情報のコード状態０１０はＳＲＩ＝１を示し、第２の指示情報のコード状態１は、端末が基地局によって指示された送信ビームに対応する送信ビームグループを使用することを示す。第１の指示情報のコード状態０１０および第２の指示情報のコード状態１は、指示情報内の基地によって指定された送信ビームを、ＳＲＩ=１であるＳＲＳリソースに対応する送信ビームを共同で示す。そして、端末は、送信ビームグループ内の送信ビームを使用して、設定されたＳＲＳリソース上でＳＲＳを送信する。具体的に、すなわち、ネットワーク機器の送信モジュールが指示情報を端末に送信した後、当該端末は、それぞれのＳＲＳリソース上で、ネットワーク機器によって示された送信ビームに対応する送信ビームグループを使用して、ＳＲＳを送信する。ネットワーク機器によって示された送信ビームと端末に使用される送信ビームグループとの間のマッピング関係は、端末によって決定されるか、ネットワーク機器によって端末と事前に合意されるか、または、前記ネットワーク機器がシグナリングによって前記端末に送信される。ネットワーク機器によって示された送信ビームと端末に使用される送信ビームグループ間に多くのマッピング関係がある場合、ネットワーク機器は、シグナリングに端末にマッピング関係の１つを通知するか、またはマッピング指示情報は暗黙的に指示情報に含まれる。表３の指示情報の状態１０００から１０１０は第１のマッピング関係を表し、状態１０１１-１１１１は第２のマッピング関係を表す（マッピング関係は表に特に示されていない）。
【０１８３】
マッピング関係は、ネットワーク機器によって示される送信ビームと同じ幅または類似の幅を有する送信ビームのグループに対応することを指す。たとえば、ネットワーク機器は現在、端末に対してＮ個のＳＲＳリソースを設定し、端末は、指示情報の受信ときにネットワーク機器によって示された送信ビームに従って、ネットワーク機器が示す送信ビームと同じ幅のＮ個の送信ビームを使用してＳＲＳを送信する。これらのＮ個の送信ビームは、ネットワーク機器によって現在示されている送信ビームを含む場合と含まない場合がある。一例として、ネットワーク機器によって示された送信ビームは番号Ｋの送信ビームであり、端末は現在、ネットワーク機器によって４つのＳＲＳリソースが設定されているため、端末は（Ｋ-１）番目、Ｋ番目、（Ｋ＋１）番目、および（Ｋ＋２）番目の送信ビームを使用して、ＳＲＳを送信する。このマッピング関係は、それぞれのレベルでのビームスイープに適用できる。たとえば、端末の合計でＭ個の送信ビームがあるシナリオでは、第１レベルのビームがスイープされるとき、基地局が端末に対してＮ個のＳＲＳリソースを設定した場合、端末はこれらのＭ個の送信ビームをＮ個のグループに分割し、最後の送信ビームグループには
【数１１】
2020523920.tif 000013
個の送信ビームが含まれ、各グループには
【数１２】
2020523920.tif 000014
（ここで、
【数１３】
2020523920.tif 000015
は切り上げを表す）個の送信ビームが含まれる。端末は、各ビームグループから１つのビームを選択して、１つのＳＲＳリソース上でＳＲＳを送信する。ネットワーク機器は、これらのＳＲＳを受信した後、ＳＲＩ＝ｎ（たとえば、表３のＳＲＩ＝５）を含む指示情報を端末に送信する。すなわち、ｎ番目のＳＲＳリソースに対応するビームを示す。端末に対して
【数１４】
2020523920.tif 000016
個のＳＲＳリソースを設定する。端末は当該
【数１５】
2020523920.tif 000017
個のＳＲＳリソース上でｎ番目のＳＲＳリソースに対応するビームが位置するビームグループのビームを使用して、ＳＲＳを送信する。このように、Ｍが大きい場合、ビームスイープを実行するように端末に対してＭ個のＳＲＳリソースを設定することと比べ、レベル化してビームをスイープすることにより、必要とするＳＲＳリソースの数を減少し、それによってオーバーヘッドを節約できる。
【０１８４】
他のマッピング関係は、ネットワーク機器によって示される送信ビームがより狭い送信ビームグループに対応し、端末が送信ビームグループの送信ビームを使用して端末用に設定された異なるＳＲＳリソース上でＳＲＳを送信することを指す。この方式では、端末は送信ビームグループのビームスイープでより細かいローカルビームスイープを実行できる。このマッピング関係は、それぞれのレベルでのビームスイープとみなすこともできる。第１レベルでのビームスイープは、より広い送信ビームで実行できる。たとえば、第１レベルの基地局は、端末に対してＮ個のＳＲＳリソースを設定する。端末は、各ビームグループから１つのビームを選択して、１つのＳＲＳリソース上でＳＲＳを送信する。ネットワーク機器は、これらのＳＲＳを受信した後、ＳＲＩ＝ｎ（たとえば、表３のＳＲＩ＝５）を含む指示情報を端末に送信する。すなわち、ｎ番目のＳＲＳリソースに対応するビームを示す。端末に対して個のＳＲＳリソースを設定する。端末は、当該Ｋ個のＳＲＳリソース上でｎ番目のＳＲＳリソースに対応するビームに対応するＫ個の指向性がより強い（より狭い）ビームが含まれるグループのビームを使用して、ＳＲＳを送信する。ネットワーク機器が同じ受信ビームを使用してこれらのＳＲＳを受信する場合、このような方式で、第１レベルでのビームスイープよりも高い精度で送信ビームスイープを実行できる。すなわち、前記ネットワーク機器は、同じ受信ビームを使用して前記ＳＲＳリソース上で前記ＳＲＳを受信する。方式３，前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、指示情報は、前記ＳＲＳリソース上でＳＲＳを送信することを示す送信ビームの識別情報をさらに含む（たとえば、特に表１に示すＳＲＩ）。
【０１８５】
ネットワーク機器の送信モジュールが指示情報を端末に送信した後、端末は指示情報を受信し、ネットワーク機器によって指示された送信ビームの識別情報を取得し、当該識別情報に従って、事前に合意されたルールに基づき、それぞれのＳＲＳリソース上でＳＲＳを送信するための送信ビームを選択する。当該事前に合意されたルールは、すなわち、前記端末が前記ネットワーク機器によって示された送信ビームに対応する送信ビームグループ内の送信ビームを使用して前記ＳＲＳリソース上でＳＲＳを送信するための情報である。
【０１８６】
当該端末は、前記ＳＲＳリソース上で前記ネットワーク機器によって示された送信ビームに対応する送信ビームグループ内の送信ビームを使用して、ＳＲＳを送信する。ネットワーク機器の受信端は同じ受信ビーム（Ｒｘ ｂｅａｍ）を使用してＳＲＳを受信し、当該ネットワーク機器の当該受信ビームに対応する端末の最適な送信ビームを決定し、端末の送信ビームがスイープされるようにする。前記同じ受信ビームは、ネットワーク機器によって以前に選択された最適な受信ビームでも、ネットワーク機器によって別の方法で決定された受信ビームでもよい。
【０１８７】
前記端末のネットワーク機器によって示された送信ビームと、ネットワーク機器によって示される送信ビームに対応する送信ビームグループとの間のマッピング関係は、方式２におけるマッピング関係と同じであり得るので、ここでは重複する説明は省略する。同様に、ネットワーク機器によって示された送信ビームと対応する送信ビームグループ間のマッピング関係は、前記端末によって決定されるか、ネットワーク機器と端末の間で事前に合意されるか、前記端末がシグナリングにより前記ネットワーク機器から受信される。
【０１８８】
方式４では、前記指示情報は、前記ネットワーク機器によって示された送信ビームに対応する送信ビームグループ内の送信ビームを使用して前記ＳＲＳリソース上でＳＲＳを送信することを前記端末に指示するための情報を含む。特に、表４の指示情報の状態１０を参照することができる。たとえば、表４の指示情報の状態１０は、端末が指定された送信ビームに対応する送信ビームグループを使用してＳＲＳを送信するが、指示情報はＳＲＩ情報含まないことを示す。
【０１８９】
ネットワーク機器によって示された送信ビームの識別情報（たとえば、ＳＲＩ情報）の場合、当該指示情報は当該識別情報を含まず、ネットワーク機器によって示された送信ビームの識別情報（たとえば、ＳＲＩ情報）は、他の方式でネットワーク機器によって端末に送信される。たとえば、基地局は、ＳＲＩ情報を端末に個別に送信して、端末の送信ビームの識別情報を示す。
【０１９０】
ネットワーク機器の送信モジュールが指示情報を端末に送信した後、端末は指示情報を受信し、端末は、基地局によって指示された送信ビームの識別情報を取得し、前記端末が前記ネットワーク機器によって示された送信ビームに対応する送信ビームグループ内の送信ビームを使用して前記ＳＲＳリソース上でＳＲＳを送信する。
【０１９１】
前記端末のネットワーク機器によって示された送信ビームと、ネットワーク機器によって示される送信ビームに対応する送信ビームグループとの間のマッピング関係は、方式２におけるマッピング関係と同じであり得るので、ここでは重複する説明は省略する。
【０１９２】
上記方式１から方式４では、前記ＳＲＳリソース上で前記端末によって送信されたＳＲＳに対し、前記ネットワーク機器は、同じ受信ビームを使用して前記ＳＲＳリソース上で前記ＳＲＳを受信する。
【０１９３】
上記方式２から方式４では、前記ネットワーク機器によって示された送信ビームと対応する送信ビームグループ間のマッピング関係は、前記端末によって決定されるか、またはネットワークと端末の間で事前に合意され得るか、またはネットワーク機器から端末にシグナリングにより送信される。
【０１９４】
方式５では、前記指示情報は、前記ネットワーク機器によって示された送信ビームを使用して前記ＳＲＳリソース上でＳＲＳを送信することを前記端末に指示するための情報および前記ネットワーク機器によって示された送信ビームの識別情報を含む。当該指示情報は、１つのコード状態としてエンコードできる。たとえば、当該指示情報の１つのコード状態は、前記指示情報は、前記ネットワーク機器によって示された送信ビームを使用して前記ＳＲＳリソース上でＳＲＳを送信することを前記端末に指示するための情報および前記ネットワーク機器によって示された送信ビームの１つの識別情報で示される送信ビームを使用してＳＲＳリソース上でＳＲＳを送信するための端末を示す情報を含むことを示す。たとえば、表３の指示情報のコード状態１１００は、指示情報には基地局によって指定された送信ビームを、ＳＲＩ＝５のＳＲＳリソースに対応する送信ビームが含まれることを示す。端末は、当該送信ビームを使用して、設定されたＳＲＳリソース上でＳＲＳを送信し、
または、前記指示情は２つのコンポーネント、すなわち第１の指示情報および第２の指示情報を含むことができ、ネットワーク機器は、前記第１の指示情報および第２の指示情報を同時にまたは順次端末に送信することができる。第１の指示情報および第２の指示情報の具体的な送信順をここでは限定しない。第１の指示情報は表６のコード状態１であり得、第２の指示情報は表１のコード状態００１から０１０のうちの１つであり得る。具体的に、たとえば、第１の指示情報のコード状態０１０はＳＲＩ＝１を示し、第２の指示情報のコード状態１は、端末が基地局によって指示される送信ビームを使用することを示す。第１の指示情報のコード状態０１０および第２の指示情報のコード状態１は、指示情報内の基地によって指定された送信ビームを、ＳＲＩ=１であるＳＲＳリソースに対応する送信ビームを共同で示す。端末は、当該送信ビームを使用して、設定されたＳＲＳリソース上でＳＲＳを送信する。具体的に、ネットワーク機器内の送信モジュールは端末に指示情報を送信し、端末は指示情報を受信し、ネットワーク機によって現在設定された１つ以上のＳＲＳリソース上でネットワーク機器によって示された送信ビームを使用して、ＳＲＳを送信する。
【０１９５】
たとえば、指示情報は、ネットワーク機器によって指示される送信ビームの識別情報をさらに含み、当該識別情報たとえば、指示情報の状態を示すＳＲＩ情報であり、ＳＲＩは、端末が以前にＳＲＳを送信するためのＳＲＳリソースＳＲＳリソース番号を示し、詳しくは、表２を参照する。たとえば、表２の状態００１-１１０。端末が当該ＳＲＩ情報を決定した後、ネットワーク機によって現在設定されたすべてのＳＲＳリソースにおける当該ＳＲＩに対応するＳＲＳリソース上で送信ビームを使用して、ＳＲＳを送信する。また、複数のコード状態はＳＲＩの同じ値を表すことができ、たとえば、例えば、指示情報の状態００１および０１０はＳＲＩ＝０を表すことができる。
【０１９６】
指示情報は、端末がＳＲＳを送信するための送信ビームをどのように選択するかを示し、ネットワーク機器によって示された送信ビームの識別情報は、別個に送信することができる。たとえば、ネットワーク機器は、ＳＲＩ情報をさらに端末に送信して、端末の送信ビームを示す。
【０１９７】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０１９８】
方式６では、前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報（たとえば、特に表１に示すＳＲＩ）を含む。
【０１９９】
ネットワーク機器内の送信モジュールが端末に指示情報を送信した後、端末は指示情報を受信し、ネットワーク機器によって指示された送信ビームの識別情報を取得し、当該識別情報に従って、事前に合意されたルールに基づき、それぞれのＳＲＳリソース上でＳＲＳを送信するための送信ビームを選択する。当該事前に合意されたルールは、すなわち、前記端末は、前記ネットワーク機器によって示された送信ビームを使用して前記ＳＲＳリソース上でＳＲＳを送信するための情報である。
【０２００】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０２０１】
方式７では、前記指示情報は、前記ネットワーク機器によって示された送信ビームを使用して前記ＳＲＳリソース上でＳＲＳを送信することを前記端末に指示するための情報を含む。特に、表４の指示情報の状態１０、または表５の指示情報の状態０１を参照することができる。たとえば、表４の指示情報の状態０１は、端末が指定された送信ビームでＳＲＳを送信するが、指示情報はＳＲＩ情報を含まないことを示す。
【０２０２】
ネットワーク機器によって示された送信ビームの識別情報（たとえば、ＳＲＩ情報）の場合、当該指示情報は当該識別情報を含まず、ネットワーク機器によって示された送信ビームの識別情報（たとえば、ＳＲＩ情報）は、他の方式でネットワーク機器によって端末に送信される。たとえば、基地局は、ＳＲＩ情報を端末に個別に送信して、端末の送信ビームの識別情報を示す。
【０２０３】
ネットワーク機器内の送信モジュールが端末に指示情報を送信した後、端末は、ネットワーク機器によって送信された指示情報の受信ときに、続いて取得されたＳＲＩ情報に従って、ＳＲＳを送信するための送信ビームを選択する。
【０２０４】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０２０５】
方式８では、前記指示情報は、前記ネットワーク機器によって前記端末に対して設定されたＳＲＳリソースがグルーピングされることを示す情報、および前記ネットワーク機器が端末のＳＲＳを送信するための送信ビームを制限しない情報を含み。ここで、端末のＳＲＳを送信するための送信ビームを制限しない情報は、すなわち、前記指示情報は、前記端末が前記ＳＲＳリソース上でＳＲを送信するための前記端末の送信ビームを決定することを示す。前記ＳＲＳリソースのグルーピング情報（すなわち、ＳＲＳリソースのグルーピング方法）は、前記端末によって決定されるか、またはネットワークと端末の間で事前に合意され得るか、またはネットワーク機器から端末にシグナリングにより送信される。
【０２０６】
リソースのグルーピング情報が前記ネットワーク機器によって端末にシグナリングされる場合、前記ネットワーク機器は、指示情報でＳＲＳリソースのグルーピング情報を運ぶか、または、指示情報の送信に用いられる信号と異なる他の送信信号でＳＲＳリソースのグルーピング情報を端末に送信することもできる。ネットワーク機器内の送信モジュールは端末に指示情報を送信し、端末は、指示情報の状態の受信ときにネットワーク機によって現在設定された１つ以上のＳＲＳリソース上で任意の送信ビームを使用して、ＳＲＳを送信する。
【０２０７】
たとえば、ネットワーク機器は、ＳＲＳリソースのグルーピングが、端末からネットワーク機器に報告されたスイープ待機の送信ビームの数およびネットワーク機によって現在設定されたＳＲＳリソースの数に従って決定されることを、端末と事前に合意する。ネットワーク機器が現在Ｍ個のＳＲＳリソースを設定し、端末からネットワーク機器に報告されたスイープ待機の送信ビームの数がＮであれば、１番目、２番目、…、およびＮ番目のＳＲＳリソースを１グループとし、（Ｎ＋１）番目、（Ｎ＋２）番目、…、および２Ｎ番目のＳＲＳリソースを１グループとし、このように類推できる。
【０２０８】
前記指示が、前記ネットワーク機器によって前記端末に対して設定されたＳＲＳリソースをグルーピングすることを示す情報を含む場合、端末がＳＲＳリソースのグルーピング情報を取得する方法に関係なく（たとえば、上記ＳＲＳリソースのグルーピング情報は前記端末によって決定されるか、またはネットワークと端末の間で事前に合意され得るか、またはネットワーク機器から端末にシグナリングにより送信されるか、または当業者が思い付くことができるような、端末がＳＲＳリソースのグルーピング情報を知ることができる他の方式）、端末は、同じグループのＳＲＳリソース異なるリソース上で異なる送信ビームを使用して送信することができ、こうして送信ビームをスイープすることができるようになる。ネットワーク機器は、同じ受信ビームを使用して同じグループのＳＲＳリソースでＳＲＳを受信し、異なる受信ビームを使用して異なるグループのＳＲＳリソースでＳＲＳを受信する。
【０２０９】
このような解決策によれば、ネットワーク機器の受信ビームおよび端末の送信ビームをスイープすることができる。別の実施では、ネットワーク機器は、ＳＲＳリソースをグルーピングするルールについて端末と事前に合意し、ネットワーク機器は、シグナリングによって、端末に対して設定されたＳＲＳリソースのグループの数を、端末に通知する。たとえば、端末に対して設定されたＳＲＳリソースがＫ個のグループにグルーピングされることを端末に通知するため、合意されたＳＲＳリソースのグルーピングルールに従って、端末は、１番目、１番目、２番目、…、およびＭ番目（１番目のグループ、合計Ｋグループ）のＳＲＳリソースを１グループとし、（Ｎ＋１）番目、（Ｎ＋２）番目、…、および２Ｍ番目（２番目のグループ、合計Ｋグループ）のＳＲＳリソースを１グループとし、このように類推できる。または、指示情報の状態は、端末用に設定されたＳＲＳリソースのグルーピング情報を含む。たとえば、指示情報の状態００１-０１０は１つのＳＲＳリソースグループのみを表し、０１１-１００は２つのＳＲＳリソースグループを表す（表には示されていない）。
【０２１０】
ビーム管理方法の上記のそれぞれの特定の実施では、送信ビームの識別情報は、特に、前記ネットワーク機器によって前記端末に対して設定されたＳＲＳリソースのＳＲＳリソース指示情報ＳＲＩであり得る。
【０２１１】
図４に示すように、本発明の第４の実施例に係る端末は、
ネットワーク機器によって送信された指示情報を受信するための受信モジュール４０１と、
前記ネットワークによって送信された指示情報に従って、前記ＳＲＳリソース上で使用される送信ビームを決定し、前記送信ビームを使用して前記ＳＲＳリソース上でＳＲＳを送信するための送信モジュール４０２と、を備える。
【０２１２】
前記指示情報は前記ネットワーク機器によって前記端末に対して設定されたＳＲＳリソース上でＳＲＳ信号を送信するための送信ビームを選択することを、前記端末に指示する。
上記受信モジュール４０１で受信した指示情報が異なり、本実施例の端末は以下とおりで動作する。
【０２１３】
方式１では、前記指示情報は、ゼロ状態を示す情報を含み、前記ゼロ状態は、前記端末が前記ＳＲＳリソース上でＳＲを送信するための送信ビームを決定することを示す。たとえば、指示情報は、端末がＳＲＳを送信するための送信ビームがネットワーク機器によって制限されないことを示す情報を含む。たとえば、当該指示情報の特定の状態は、表１から表６の状態０００（指示情報の状態はバイナリシステムで表される）になる（これは一例にすぎず、指示情報の特定の状態は、別の値、例えば１１１、００などとして代替的に表すことができる）。
【０２１４】
具体的に、すなわち、端末内の受信モジュールがネットワーク機器送信指示情報を受信した後、当該端末内の送信モジュールネットワーク機によって現在設定された１つ以上のＳＲＳリソース上で任意の送信ビームを使用して、ＳＲＳを送信する。
【０２１５】
たとえば、ネットワーク機器は、端末に対して複数のＳＲＳリソースを設定し、端末は、異なる送信ビームを使用して異なるＳＲＳリソース上でＳＲＳを送信する。すなわち、送信ビームはスイープ（ｂｅａｍ ｓｗｅｅｐｉｎｇ）される。端末が異なる送信ビームを使用して異なるＳＲＳリソース上でＳＲＳを送信する場合、ネットワーク機器の受信端は同じ受信ビーム（Ｒｘ ｂｅａｍ）を使用してＳＲＳを受信し、当該ネットワーク機器に対応する当該受信ビーム中の端末の最適な送信ビームを決定し、端末の送信ビームがスイープされるようにする。
【０２１６】
方式２では、前記指示情報は、前記ネットワーク機器によって示された送信ビームに対応する送信ビームグループ内の送信ビームを使用して前記ＳＲＳリソース上でＳＲＳを送信することを前記端末に指示するための情報および前記ネットワーク機器によって示された送信ビームの識別情報を含む。当該指示情報は、１つのコード状態としてエンコードできる。たとえば、当該指示情報の１つのコード状態は、前記指示情報に含まれる前記ネットワーク機器によって示された送信ビームに対応する送信ビームグループ内の送信ビームを使用して前記ＳＲＳリソース上でＳＲＳを送信することを前記端末に指示するための情報および、前記ネットワーク機器によって示された送信ビームの１つの識別情報を示す。たとえば、表３の指示情報のコード状態１１００は、指示情報において基地局によって指定された送信ビームを、ＳＲＩ＝５であるＳＲＳリソースに対応する送信ビームを示す。端末は、当該送信ビームを使用して、送信ビームグループ内の送信ビームに対応する設定されたＳＲＳリソース上でＳＲＳを送信する。
【０２１７】
または、前記指示情は２つのコンポーネント、すなわち第１の指示情報および第２の指示情報を含むことができ、ネットワーク機器は、前記第１の指示情報および第２の指示情報を同時にまたは順次端末に送信することができる。第１の指示情報および第２の指示情報の具体的な送信順をここでは限定しない。第１の指示情報は表６のコード状態０であり得、第２の指示情報は表１のコード状態００１から０１０のうちの１つであり得る。具体的に、たとえば、第１の指示情報のコード状態０１０はＳＲＩ＝１を示し、第２の指示情報のコード状態１は、端末が基地局によって指示された送信ビームに対応する送信ビームグループを使用することを示す。第１の指示情報のコード状態０１０および第２の指示情報のコード状態１は、指示情報内の基地によって指定された送信ビームを、ＳＲＩ=１であるＳＲＳリソースに対応する送信ビームを共同で示す。そして、端末は、送信ビームグループ内の送信ビームを使用して、設定されたＳＲＳリソース上でＳＲＳを送信する。具体的に、すなわち、端末内の受信モジュールがネットワーク機器送信指示情報を受信した後、当該端末は、それぞれのＳＲＳリソース上で、ネットワーク機器によって示された送信ビームに対応する送信ビームグループを使用して、ＳＲＳを送信する。たとえば、前記端末内の送信モジュールは、前記ＳＲＳリソース上で前記ネットワーク機器によって示された送信ビームを使用して対応する送信ビームグループ内の送信ビームＳＲＳを送信する。
【０２１８】
ネットワーク機器によって示された送信ビームと端末に使用される送信ビームグループとの間のマッピング関係は、端末によって決定されるか、または、端末とネットワーク機器が事前に合意されるか、または、前記端末がシグナリングにより前記ネットワーク機器から受信される。ネットワーク機器によって示された送信ビームと端末に使用される送信ビームグループ間に多くのマッピング関係がある場合、ネットワーク機器は、シグナリングに端末にマッピング関係の１つを通知するか、またはマッピング指示情報は暗黙的に指示情報に含まれる。表３の指示情報の状態１０００から１０１０は第１のマッピング関係を表し、状態１０１１-１１１１は第２のマッピング関係を表す（マッピング関係は表に特に示されていない）。
【０２１９】
マッピング関係は、ネットワーク機器によって示される送信ビームと同じ幅または類似の幅を有する送信ビームのグループに対応することを指す。たとえば、ネットワーク機器は現在、端末に対してＮ個のＳＲＳリソースを設定し、端末は、指示情報の受信ときにネットワーク機器によって示された送信ビームに従って、ネットワーク機器が示す送信ビームと同じ幅のＮ個の送信ビームを使用してＳＲＳを送信する。これらのＮ個の送信ビームは、ネットワーク機器によって現在示されている送信ビームを含む場合と含まない場合がある。一例として、ネットワーク機器によって示された送信ビームは番号Ｋの送信ビームであり、端末は現在、ネットワーク機器によって４つのＳＲＳリソースが設定されているため、端末は（Ｋ-１）番目、Ｋ番目、（Ｋ＋１）番目、および（Ｋ＋２）番目の送信ビームを使用して、ＳＲＳを送信する。このマッピング関係は、それぞれのレベルでのビームスイープに適用できる。たとえば、端末の合計でＭ個の送信ビームがあるシナリオでは、第１レベルのビームがスイープされるとき、基地局が端末に対してＮ個のＳＲＳリソースを設定した場合、端末はこれらのＭ個の送信ビームをＮ個のグループに分割し、最後の送信ビームグループには
【数１６】
2020523920.tif 000018
個の送信ビームが含まれ、各グループには
【数１７】
2020523920.tif 000019
（ここで、
【数１８】
2020523920.tif 000020
は切り上げを表す）個の送信ビームが含まれる。端末は、各ビームグループから１つのビームを選択して、１つのＳＲＳリソース上でＳＲＳを送信する。ネットワーク機器は、これらのＳＲＳを受信した後、ＳＲＩ＝ｎ（たとえば、表３のＳＲＩ＝５）を含む指示情報を端末に送信する。すなわち、ｎ番目のＳＲＳリソースに対応するビームを示す。端末に対して
【数１９】
2020523920.tif 000021
個のＳＲＳリソースを設定する。端末は当該
【数２０】
2020523920.tif 000022
個のＳＲＳリソース上でｎ番目のＳＲＳリソースに対応するビームが位置するビームグループのビームを使用して、ＳＲＳを送信する。このように、Ｍが大きい場合、ビームスイープを実行するように端末に対してＭ個のＳＲＳリソースを設定することと比べ、レベル化してビームをスイープすることにより、必要とするＳＲＳリソースの数を減少し、それによってオーバーヘッドを節約できる。
【０２２０】
他のマッピング関係は、ネットワーク機器によって示される送信ビームがより狭い送信ビームグループに対応し、端末が送信ビームグループの送信ビームを使用して端末用に設定された異なるＳＲＳリソース上でＳＲＳを送信することを指す。この方式では、端末は送信ビームグループのビームスイープでより細かいローカルビームスイープを実行できる。このマッピング関係は、それぞれのレベルでのビームスイープとみなすこともできる。第１レベルでのビームスイープは、より広い送信ビームで実行できる。たとえば、第１レベルの基地局は、端末に対してＮ個のＳＲＳリソースを設定する。端末は、各ビームグループから１つのビームを選択して、１つのＳＲＳリソース上でＳＲＳを送信する。ネットワーク機器は、これらのＳＲＳを受信した後、ＳＲＩ＝ｎ（たとえば、表３のＳＲＩ＝５）を含む指示情報を端末に送信する。すなわち、ｎ番目のＳＲＳリソースに対応するビームを示す。端末に対して個のＳＲＳリソースを設定する。端末は、当該Ｋ個のＳＲＳリソース上でｎ番目のＳＲＳリソースに対応するビームに対応するＫ個の指向性がより強い（より狭い）ビームが含まれるグループのビームを使用して、ＳＲＳを送信する。ネットワーク機器が同じ受信ビームを使用してこれらのＳＲＳを受信する場合、このような方式で、第１レベルでのビームスイープよりも高い精度で送信ビームスイープを実行できる。すなわち、前記ネットワーク機器は、同じ受信ビームを使用して前記ＳＲＳリソース上で前記ＳＲＳを受信する。
【０２２１】
方式３では、前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、指示情報は、前記ＳＲＳリソース上でＳＲＳを送信することを示す送信ビームの識別情報をさらに含む（たとえば、特に表１に示すＳＲＩ）。
【０２２２】
端末内の受信モジュールがネットワーク機器送信指示情報を受信した後、ネットワーク機器によって指示された送信ビームの識別情報を取得し、当該識別情報に従って、事前に合意されたルールに基づき、それぞれのＳＲＳリソース上でＳＲＳを送信するための送信ビームを選択する。当該事前に合意されたルールは、すなわち、前記端末が前記ネットワーク機器によって示された送信ビームに対応する送信ビームグループ内の送信ビームを使用して前記ＳＲＳリソース上でＳＲＳを送信するための情報である。
【０２２３】
当該端末内の送信モジュールは、前記ＳＲＳリソース上で前記ネットワーク機器によって示された送信ビームを使用して対応する送信ビームグループ内の送信ビームＳＲＳを送信する。ネットワーク機器の受信端は同じ受信ビーム（Ｒｘ ｂｅａｍ）を使用してＳＲＳを受信し、当該ネットワーク機器の当該受信ビームに対応する端末の最適な送信ビームを決定し、端末の送信ビームがスイープされるようにする。前記同じ受信ビームは、ネットワーク機器によって以前に選択された最適な受信ビームでも、ネットワーク機器によって別の方法で決定された受信ビームでもよい。
【０２２４】
前記端末のネットワーク機器によって示された送信ビームと、ネットワーク機器によって示される送信ビームに対応する送信ビームグループとの間のマッピング関係は、本実施例の方式２でのマッピング関係と同じであり、ここでは重複する説明は省略する。同様に、ネットワーク機器によって示された送信ビームと対応する送信ビームグループ間のマッピング関係は、前記端末によって決定されるか、ネットワーク機器と端末の間で事前に合意されるか、前記端末がシグナリングにより前記ネットワーク機器から受信される。
【０２２５】
方式４では、前記指示情報は、前記ネットワーク機器によって示された送信ビームに対応する送信ビームグループ内の送信ビームを使用して前記ＳＲＳリソース上でＳＲＳを送信することを前記端末に指示するための情報を含む。特に、表４の指示情報の状態１０を参照することができる。たとえば、表４の指示情報の状態１０は、端末が指定された送信ビームに対応する送信ビームグループを使用してＳＲＳを送信するが、指示情報はＳＲＩ情報含まないことを示す。
【０２２６】
ネットワーク機器によって示された送信ビームの識別情報（たとえば、ＳＲＩ情報）の場合、当該指示情報は当該識別情報を含まず、ネットワーク機器によって示された送信ビームの識別情報（たとえば、ＳＲＩ情報）は、他の方式でネットワーク機器によって端末に送信される。たとえば、基地局は、ＳＲＩ情報を端末に個別に送信して、端末の送信ビームの識別情報を示す。
【０２２７】
具体的に、端末内の受信モジュールがネットワーク機器送信指示情報を受信した後、端末が到基地局からＳＲＩ情報を再び受信すると、前記端末内の送信モジュールは、前記ＳＲＳリソース上で前記ネットワーク機器によって示された送信ビームを使用して対応する送信ビームグループ内の送信ビームＳＲＳを送信する。
【０２２８】
前記端末のネットワーク機器によって示された送信ビームと、ネットワーク機器によって示される送信ビームに対応する送信ビームグループとの間のマッピング関係は、本実施例の方式２でのマッピング関係と同じであり、ここでは重複する説明は省略する。同様に、ネットワーク機器によって示された送信ビームと対応する送信ビームグループ間のマッピング関係は、前記端末によって決定されるか、ネットワーク機器と端末の間で事前に合意されるか、前記端末がシグナリングにより前記ネットワーク機器から受信される。
【０２２９】
方式２-方式４について、前記端末は、前記ＳＲＳリソース上で前記ネットワーク機器によって示された送信ビームに対応する送信ビームグループ内の送信ビームを使用して、ＳＲＳを送信する。
【０２３０】
上記方式１-方式４では、前記ＳＲＳリソース上で前記端末によって送信されたＳＲＳに対し、前記ネットワーク機器は、同じ受信ビームを使用して前記ＳＲＳリソース上で前記ＳＲＳを受信する。
【０２３１】
上記方式２から方式４では、前記ネットワーク機器によって示された送信ビームと対応する送信ビームグループ間のマッピング関係は、前記端末によって決定されるか、ネットワーク機器と端末の間で事前に合意されるか、前記端末がシグナリングにより前記ネットワーク機器から受信される。
【０２３２】
方式５，前記指示情報は、前記ネットワーク機器によって示された送信ビームを使用して前記ＳＲＳリソース上でＳＲＳを送信することを前記端末に指示するための情報および前記ネットワーク機器によって示された送信ビームの識別情報を含む。当該指示情報は、１つのコード状態としてエンコードできる。たとえば、当該指示情報の１つのコード状態は、前記指示情報は、前記ネットワーク機器によって示された送信ビームを使用して前記ＳＲＳリソース上でＳＲＳを送信することを前記端末に指示するための情報および前記ネットワーク機器によって示された送信ビームの１つの識別情報で示される送信ビームを使用してＳＲＳリソース上でＳＲＳを送信するための端末を示す情報を含むことを示す。たとえば、表３の指示情報のコード状態０１１０は、指示情報に基地によって指定された送信ビームをＳＲＩ=５とするＳＲＳリソースに対応する送信ビームが含まれることを示す。端末は、当該送信ビームを使用して、設定されたＳＲＳリソース上でＳＲＳを送信する。
【０２３３】
または、前記指示情は２つのコンポーネント、すなわち第１の指示情報および第２の指示情報を含むことができ、ネットワーク機器は、前記第１の指示情報および第２の指示情報を同時にまたは順次端末に送信することができる。第１の指示情報および第２の指示情報の具体的な送信順をここでは限定しない。第１の指示情報は表６のコード状態１であり得、第２の指示情報は表１のコード状態００１から０１０のうちの１つであり得る。具体的に、たとえば、第１の指示情報のコード状態０１０はＳＲＩ＝１を示し、第２の指示情報のコード状態１は、端末が基地局によって指示される送信ビームを使用することを示す。第１の指示情報のコード状態０１０および第２の指示情報のコード状態１は、指示情報内の基地によって指定された送信ビームを、ＳＲＩ=１であるＳＲＳリソースに対応する送信ビームを共同で示す。端末は、当該送信ビームを使用して、設定されたＳＲＳリソース上でＳＲＳを送信する。
【０２３４】
具体的に、端末内の受信モジュールネットワーク機器によって送信された指示情報を受信し、ネットワーク機によって現在設定された１つ以上のＳＲＳリソース上でネットワーク機器によって示された送信ビームを使用して、ＳＲＳを送信する。
【０２３５】
たとえば、指示情報は、ネットワーク機器によって指示される送信ビームの識別情報をさらに含み、当該識別情報たとえば、指示情報の状態を示すＳＲＩ情報であり、ＳＲＩは、端末が以前にＳＲＳを送信するためのＳＲＳリソースＳＲＳリソース番号を示し、詳しくは、表２を参照する。たとえば、表２の状態００１-１１０。端末が当該ＳＲＩ情報を決定した後、ネットワーク機によって現在設定されたすべてのＳＲＳリソースにおける当該ＳＲＩに対応するＳＲＳリソース上で送信ビームを使用して、ＳＲＳを送信する。また、複数のコード状態はＳＲＩの同じ値を表すことができ、たとえば、例えば、指示情報の状態００１および０１０はＳＲＩ＝０を表すことができる。
【０２３６】
指示情報は、端末がＳＲＳを送信するための送信ビームをどのように選択するかを示し、ネットワーク機器によって示された送信ビームの識別情報は、別個に送信することができる。たとえば、ネットワーク機器は、ＳＲＩ情報をさらに端末に送信して、端末の送信ビームを示す。
【０２３７】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０２３８】
方式６では、前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報（たとえば、特に表１に示すＳＲＩ）を含む。
【０２３９】
端末内の受信モジュールがネットワーク機器によって送信された指示情報を受信した後、ネットワーク機器によって指示された送信ビームの識別情報を取得し、当該識別情報に従って、事前に合意されたルールに基づき、それぞれのＳＲＳリソース上でＳＲＳを送信するための送信ビームを選択する。当該事前に合意されたルールは、すなわち、前記端末は、前記ネットワーク機器によって示された送信ビームを使用して前記ＳＲＳリソース上でＳＲＳを送信するための情報である。
【０２４０】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０２４１】
方式７では、前記指示情報は、前記ネットワーク機器によって示された送信ビームを使用して前記ＳＲＳリソース上でＳＲＳを送信することを前記端末に指示するための情報を含む。特に、表４の指示情報の状態１０、または表５の指示情報の状態０１を参照することができる。たとえば、表４の指示情報の状態０１は、端末が指定された送信ビームでＳＲＳを送信するが、指示情報はＳＲＩ情報を含まないことを示す。
【０２４２】
ネットワーク機器によって示された送信ビームの識別情報（たとえば、ＳＲＩ情報）の場合、当該指示情報は当該識別情報を含まず、ネットワーク機器によって示された送信ビームの識別情報（たとえば、ＳＲＩ情報）は、他の方式でネットワーク機器によって端末に送信される。たとえば、基地局は、ＳＲＩ情報を端末に個別に送信して、端末の送信ビームの識別情報を示す。
【０２４３】
端末内の受信モジュールはネットワーク機器によって送信された指示情報を受信した後、続いて取得されたＳＲＩ情報に従って、ＳＲＳを送信するための送信ビームを選択する。
【０２４４】
前記ＳＲＳリソース上で前記端末によって送信されたＳＲＳに対し、前記ネットワーク機器は、異なる受信ビームを使用して前記ＳＲＳリソース上で前記ＳＲＳを受信する。ネットワーク機器が、異なる受信ビームを使用して現在端末に対して設定した複数のＳＲＳリソース上でＳＲＳを受信する場合、ネットワーク機器は、ネットワーク機器によって示される端末の送信ビームのために受信ビームをスイープしてもよい。
【０２４５】
方式８では、前記指示情報は、前記ネットワーク機器によって前記端末に対して設定されたＳＲＳリソースがグルーピングされることを示す情報、および前記ネットワーク機器が端末のＳＲＳを送信するための送信ビームを制限しない情報を含み。ここで、端末のＳＲＳを送信するための送信ビームを制限しない情報は、すなわち、前記指示情報は、前記端末が前記ＳＲＳリソース上でＳＲを送信するための前記端末の送信ビームを決定することを示す。前記ＳＲＳリソースのグルーピング情報（すなわち、ＳＲＳリソースのグルーピング方法）は、前記端末によって決定されるか、またはネットワークと端末の間で事前に合意され得るか、またはネットワーク機器から端末にシグナリングにより送信される。
【０２４６】
リソースのグルーピング情報が前記ネットワーク機器によって端末にシグナリングされる場合、前記ネットワーク機器は、指示情報でＳＲＳリソースのグルーピング情報を運ぶか、または、指示情報の送信に用いられる信号と異なる他の送信信号でＳＲＳリソースのグルーピング情報を端末に送信することもできる。端末は、指示情報の状態の受信ときに端末内の送信モジュールネットワーク機によって現在設定された１つ以上のＳＲＳリソース上で任意の送信ビームを使用して、ＳＲＳを送信する。
【０２４７】
たとえば、ネットワーク機器は、ＳＲＳリソースのグルーピングが、端末からネットワーク機器に報告されたスイープ待機の送信ビームの数およびネットワーク機によって現在設定されたＳＲＳリソースの数に従って決定されることを、端末と事前に合意する。ネットワーク機器が現在Ｍ個のＳＲＳリソースを設定し、端末からネットワーク機器に報告されたスイープ待機の送信ビームの数がＮであれば、１番目、２番目、…、およびＮ番目のＳＲＳリソースを１グループとし、（Ｎ＋１）番目、（Ｎ＋２）番目、…、および２Ｎ番目のＳＲＳリソースを１グループとし、このように類推できる。
【０２４８】
前記指示が、前記ネットワーク機器によって前記端末に対して設定されたＳＲＳリソースをグルーピングすることを示す情報を含む場合、端末がＳＲＳリソースのグルーピング情報を取得する方法に関係なく（たとえば、上記ＳＲＳリソースのグルーピング情報は前記端末によって決定されるか、またはネットワークと端末の間で事前に合意され得るか、またはネットワーク機器から端末にシグナリングにより送信されるか、または当業者が思い付くことができるような、端末がＳＲＳリソースのグルーピング情報を知ることができる他の方式）、端末は、同じグループのＳＲＳリソース異なるリソース上で異なる送信ビームを使用して送信することができ、こうして送信ビームをスイープすることができるようになる。ネットワーク機器は、同じ受信ビームを使用して同じグループのＳＲＳリソースでＳＲＳを受信し、異なる受信ビームを使用して異なるグループのＳＲＳリソースでＳＲＳを受信する。
【０２４９】
このような解決策によれば、ネットワーク機器の受信ビームおよび端末の送信ビームをスイープすることができる。別の実施では、ネットワーク機器は、ＳＲＳリソースをグルーピングするルールについて端末と事前に合意し、ネットワーク機器は、シグナリングによって、端末に対して設定されたＳＲＳリソースのグループの数を、端末に通知する。たとえば、端末に対して設定されたＳＲＳリソースがＫ個のグループにグルーピングされることを端末に通知するため、合意されたＳＲＳリソースのグルーピングルールに従って、端末は、１番目、１番目、２番目、…、およびＭ番目（１番目のグループ、合計Ｋグループ）のＳＲＳリソースを１グループとし、（Ｎ＋１）番目、（Ｎ＋２）番目、…、および２Ｍ番目（２番目のグループ、合計Ｋグループ）のＳＲＳリソースを１グループとし、このように類推できる。または、指示情報の状態は、端末用に設定されたＳＲＳリソースのグルーピング情報を含む。たとえば、指示情報の状態００１-０１０は１つのＳＲＳリソースグループのみを表し、０１１-１００は２つのＳＲＳリソースグループを表す（表には示されていない）。
【０２５０】
ビーム管理方法の上記のそれぞれの特定の実施では、送信ビームの識別情報は、特に、前記ネットワーク機器によって前記端末に対して設定されたＳＲＳリソースのＳＲＳリソース指示情報ＳＲＩであり得る。
【０２５１】
本発明の第５の実施例は、第１の実施形態または第２の実施形態による方法のステップを実行するためにメモリに格納されたコンピュータプログラムを実行するように構成されたプロセッサを含むコンピュータデバイスを提供する。
【０２５２】
本発明の第６の実施例は、プロセッサによって実行されると、第１の実施形態または第２の実施形態による方法のステップを実行するように構成されたコンピュータプログラムを記憶することを特徴とするコンピュータ可読記憶媒体を提供する。
【０２５３】
表１〜６のすべての送信ビームは、端末がＳＲＳを送信するための送信ビームであり、表１〜６の指示情報内の１つ以上のコード状態は、バイナリコードである。表１から６の指示情報の１つまたは複数のコード状態は、異なる表のコード状態の組み合わせにすることも、表の１つの一部のみにすることもできる。表１から６は単なる例であるが、本発明の実施形態における指示情報の定義は、実際の用途で必要とされる他のバイナリコードとして代替的に表現することができる。例えば、表１〜６の送信ビームは、端末がＳＲＳリソース上で基地局にＳＲＳを送信するための送信ビームであり得る。
【０２５４】
【表１】
2020523920.tif 000023
【０２５５】
【表２】
2020523920.tif 000024
【０２５６】
【表３】
2020523920.tif 000025
【０２５７】
【表４】
2020523920.tif 000026
【０２５８】
【表５】
2020523920.tif 000027
【０２５９】
【表６】
2020523920.tif 000028
【０２６０】
本発明の上記の実施形態による技術的解決策は、少なくとも以下の技術的効果または利点を有する。
【０２６１】
ネットワーク側は、ＳＲＳを送信するための送信ビームの指示情報を端末に送信して、端末によるビームの送信、および基地局による受信ビームのスイープを柔軟に制御して、ネットワーク側での端末に対するビーム管理を容易にする。
【０２６２】
上述した実施形態に記述された技術的な解決手段を改造し、或いはその中の一部の技術要素を置換することもできる。そのような、改造と置換は本発明の各実施形態の技術の範囲から逸脱するとは見なされない。
【０２６３】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【符号の説明】
【０２６４】
301  設定モジュール
302  送信モジュール
401  受信モジュール
402  送信モジュール
【図１】
2020523920.tif 000029
【図２】
2020523920.tif 000030
【図３】
2020523920.tif 000031
【図４】
2020523920.tif 000032
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
ネットワーク機器は、端末に対してサウンディング基準信号（ＳＲＳ）リソースを設定するステップと、
前記ネットワーク機器は、前記端末に指示情報を送信するステップと、を備え、
前記指示情報は、前記ＳＲＳリソース上でＳＲＳを送信するための送信ビームを選択するように前記端末に指示することを特徴とするネットワーク機器に適用するビーム管理方法。
【請求項２】
前記指示情報は、ゼロ状態を示す情報を含み、前記ゼロ状態は、前記端末が前記ＳＲＳリソース上でＳＲを送信するための送信ビームを決定することを示し、
または、
前記指示情報は、ネットワーク機器によって示された送信ビームに従って前記ＳＲＳリソース上でＳＲＳを送信することを前記端末に指示するための情報を含み、
または、
前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含み、
または、
前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含むことを特徴とする請求項１に記載のネットワーク機器に適用するビーム管理方法。
【請求項３】
ネットワーク機器によって示された送信ビームに従って前記ＳＲＳリソース上でＳＲＳを送信することを前記端末に指示するための情報は、前記ネットワーク機器によって示された送信ビームに対応する送信ビームグループ内の送信ビームを使用して前記ＳＲＳリソース上でＳＲＳを送信することを前記端末に指示するための情報を、含み、
または、
前記ネットワーク機器によって示された送信ビームを使用して前記ＳＲＳリソース上でＳＲＳを送信することを前記端末に指示するための情報を含み、
または、
前記端末が前記ネットワーク機器によって示された送信ビームに対応する送信ビームグループ内の送信ビームを使用して前記ＳＲＳリソース上でＳＲＳを送信することを示す情報と、前記ＳＲＳリソース上でＳＲＳを送信することを示す前記ネットワーク機器によって示された送信ビームの識別情報とをさらに含み、
または、
端末が、前記ネットワーク機器によって示された送信ビームを使用して前記ＳＲＳリソース上でＳＲＳの情報送信することを示す情報と、前記ネットワーク機器によって示された送信ビームの識別情報とをさらに含むことを特徴とする請求項２に記載のネットワーク機器に適用するビーム管理方法。
【請求項４】
前記ＳＲＳリソース上で前記端末によって送信されたＳＲＳに対し、前記ネットワーク機器は、同じ受信ビームを使用して前記ＳＲＳリソース上で前記ＳＲＳを受信し、
または、
前記ＳＲＳリソース上で前記端末によって送信されたＳＲＳに対し、前記ネットワーク機器は、異なる受信ビームを使用して前記ＳＲＳリソース上で前記ＳＲＳを受信することを特徴とする請求項１に記載のネットワーク機器に適用するビーム管理方法。
【請求項５】
前記指示情報は、前記ネットワーク機器によって前記端末に対して設定されたＳＲＳリソースをグルーピングすることをさらに示すことを特徴とする請求項１または請求項２に記載のネットワーク機器に適用するビーム管理方法。
【請求項６】
前記ネットワーク機器は、同じ受信ビームを使用して同じグループのＳＲＳリソースでＳＲＳを受信し、異なる受信ビームを使用して異なるグループのＳＲＳリソースでＳＲＳを受信することを特徴とする請求項５に記載のネットワーク機器に適用するビーム管理方法。
【請求項７】
端末は、ネットワーク機器によって送信された指示情報を受信するステップと、
前記端末は、前記ネットワークによって送信された指示情報に従って、ＳＲＳリソース上で使用される送信ビームを決定し、前記送信ビームを使用して前記ＳＲＳリソース上でＳＲＳを送信するステップと、を備え、
前記指示情報は、前記端末が、前記ネットワーク機器によって前記端末に対して設定されたサウンディング基準信号（ＳＲＳ）リソース上でＳＲＳ信号を送信するための送信ビームを選択することを示すことを特徴とする端末に適用するビーム管理方法。
【請求項８】
前記指示情報は、ゼロ状態を示す情報を含み、前記ゼロ状態は、前記端末が前記ＳＲＳリソース上でＳＲを送信するための送信ビームを決定することを示し、
前記指示情報は、前記ネットワーク機器によって示された送信ビームを使用して前記ＳＲＳリソース上でＳＲＳを送信することを前記端末に指示するための情報を含み、
または、
前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含み、
または、
前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含むことを特徴とする請求項７に記載の端末に適用するビーム管理方法。
【請求項９】
ネットワーク機器によって示された送信ビームに従って前記ＳＲＳリソース上でＳＲＳを送信することを前記端末に指示するための情報は、前記ネットワーク機器によって示された送信ビームに対応する送信ビームグループ内の送信ビームを使用して前記ＳＲＳリソース上でＳＲＳを送信することを前記端末に指示するための情報を含み、
または、
前記ネットワーク機器によって示された送信ビームを使用して前記ＳＲＳリソース上でＳＲＳを送信することを前記端末に指示するための情報を含み、
または、
前記端末が前記ネットワーク機器によって示された送信ビームに対応する送信ビームグループ内の送信ビームを使用して前記ＳＲＳリソース上でＳＲＳを送信することを示す情報と、前記ＳＲＳリソース上でＳＲＳを送信することを示す前記ネットワーク機器によって示された送信ビームの識別情報とをさらに含み、
または、
端末が、前記ネットワーク機器によって示された送信ビームを使用して前記ＳＲＳリソース上でＳＲＳの情報送信することを示す情報と、前記ネットワーク機器によって示された送信ビームの識別情報と、をさらに含むことを特徴とする請求項８に記載の端末に適用するビーム管理方法。
【請求項１０】
前記端末が前記送信ビームを使用して前記ＳＲＳリソース上でＳＲＳを送信する場合、
前記端末は、異なる送信ビームを使用して異なるＳＲＳリソース上でＳＲＳを送信し、
または、
前記端末は、前記ＳＲＳリソース上で前記ネットワーク機器によって示された送信ビームに対応する送信ビームグループ内の送信ビームを使用してＳＲＳを送信することを特徴とする請求項７に記載の端末に適用するビーム管理方法。
【請求項１１】
前記指示情報は、前記ネットワーク機器によって前記端末に対して設定されたＳＲＳリソースをグルーピングすることをさらに示すことを特徴とする請求項７または請求項８に記載の端末に適用するビーム管理方法。
【請求項１２】
前記端末は、同じグループ内の異なるＳＲＳリソース上で異なる送信ビームを使用してＳＲＳを送信することを特徴とする請求項１１に記載の端末に適用するビーム管理方法。
【請求項１３】
ネットワーク機器は、
端末に対してサウンディング基準信号（ＳＲＳ）リソースを設定するための設定モジュールと、
前記端末に指示情報を送信するための送信モジュールと、を備え、
前記指示情報は、前記ＳＲＳリソース上でＳＲＳを送信するための送信ビームを選択するように前記端末に指示するものであることを特徴とするビーム管理ネットワーク機器。
【請求項１４】
前記指示情報は、ゼロ状態を示す情報を含み、前記ゼロ状態は、前記端末が前記ＳＲＳリソース上でＳＲを送信するための送信ビームを決定することを示し、
または、
前記指示情報は、前記ネットワーク機器によって示された送信ビームを使用して前記ＳＲＳリソース上でＳＲＳを送信することを前記端末に指示するための情報を含み、
または、
前記ネットワーク機器は、前記端末が前記ネットワーク機器によって示された送信ビームに対応する送信ビームグループ内の送信ビームを使用して前記ＳＲＳリソース上でＳＲＳを送信することを、前記端末と事前合意し、前記指示情報は、前記ＳＲＳリソース上でＳＲＳを送信することを示す送信ビームの識別情報をさらに含み、
または、
前記ネットワーク機器は、前記ネットワーク機器によって示された送信ビームを使用して前記ＳＲＳリソース上でＳＲＳの情報送信することを、前記端末と事前に合意し、前記指示情報は、前記ＳＲＳリソース上でＳＲＳを送信することを示す送信ビームの識別情報をさらに含むことを特徴とする請求項１３に記載のビーム管理ネットワーク機器。
【請求項１５】
ネットワーク機器によって送信された指示情報を受信するための受信モジュールと、
前記ネットワークによって送信された指示情報に従って、ＳＲＳリソース上で使用される送信ビームを決定し、前記送信ビームを使用して前記ＳＲＳリソース上でＳＲＳを送信するための送信モジュールと、を備え、
前記指示情報は、端末が、前記ネットワーク機器によって前記端末に対して設定されたサウンディング基準信号（ＳＲＳ）リソース上でＳＲＳ信号を送信するための送信ビームを選択することを示すものであることを特徴とする端末。
【国際調査報告】
2020523920.tif 000033
2020523920.tif 000034
2020523920.tif 000035
2020523920.tif 000036